(57)【要約】  本開示は、スチレン無水マレイン酸とポリエーテルモノアミンの反応から得られる分散剤を提供する。分散剤を有害生物防除剤及び水と合わせ、水性農業用組成物を調製することができる。【選択図】図１
2019513075.tif 000002
【特許請求の範囲】
【請求項１】
少なくとも４．０：１．０のスチレン対無水マレイン酸モル比を有するスチレン−無水マレイン酸コポリマーと式
【化１】
2019513075.tif 000013
［式中、Ｒ1は水素及びＣ1から約Ｃ4ヒドロカルビル基、フェニル及びベンジルより成る群から選ばれ；Ｘ1、Ｘ2、Ｘ3、Ｘ4、Ｘ5及びＸ6は、各存在において、独立して：水素、メチル及びエチルより成る群から選ばれ、但し同じアルコキシ単位に結合する２つのＸ基の少なくとも１つは水素であり；ｐ、ｑ及びｒはそれぞれ独立してゼロを含んでゼロ〜約１００の整数であることができ、但しｐ、ｑ及びｒの少なくとも１つはゼロではなく；そしてｓは０又は１である］
により示されるポリエーテルモノアミンの反応から得られる分散剤であって、ポリエーテルモノアミンは水溶性である分散剤。
【請求項２】
スチレン−無水マレイン酸コポリマーが少なくとも５．０：１．０のスチレン対無水マレイン酸モル比を有する請求項１の分散剤。
【請求項３】
スチレン−無水マレイン酸コポリマーが少なくとも６．０：１．０のスチレン対無水マレイン酸モル比を有する請求項１の分散剤。
【請求項４】
ポリエーテルモノアミンが約６００〜約３０００の分子量を有する請求項１の分散剤。
【請求項５】
ポリエーテルモノアミンが式
【化２】
2019513075.tif 000014
［式中、Ｒ3＝Ｈ又はＣＨ3であり、ａは約３から約３２であり、ｂは約１０から約３２で
ある］
を有する化合物である請求項１の分散剤。
【請求項６】
分散剤の製造方法であって、
少なくとも４．０：１．０のスチレン対無水マレイン酸モル比を有するスチレン−無水マレイン酸コポリマーを非反応性の溶媒中に溶解し、混合物を式
【化３】
2019513075.tif 000015
［式中、Ｒ1は水素及びＣ1から約Ｃ4ヒドロカルビル基より成る群から選ばれ；Ｘ1、Ｘ2、Ｘ3、Ｘ4、Ｘ5及びＸ6は、各存在において独立して：水素、メチル及びエチルより成る群から選ばれ、但し同じアルコキシ単位に結合する２つのＸ基の少なくとも１つは水素であり；ｐ、ｑ及びｒはそれぞれ独立してゼロを含んでゼロ〜約１００の整数であることができ、但しｐ、ｑ及びｒの少なくとも１つはゼロではなく；そしてｓは０又は１である］により示されるポリエーテルモノアミンと反応させることを含んでなり、ポリエーテルモノアミンは水溶性である、方法。
【請求項７】
請求項１の分散剤及び有害生物防除剤を含んでなる水性農業用組成物。
【請求項８】
分散剤が、水性農業用組成物の合計重量に基づいて約１重量％−５．５重量％の量で存在する、請求項７の水性農業用組成物。
【請求項９】
有害生物防除剤が、水性農業用組成物の合計重量に基づいて最高で約７０重量％の量で存在する、請求項７の水性農業用組成物。
【請求項１０】
有害生物を殺害、阻害、又は撃退するための方法であって、有害生物防除的に有効な量の有害生物防除剤を供給し、有効な量の請求項１の分散剤を供給し、有害生物防除剤を分散剤及び水と合わせて水性農薬調製物を調製し、水性農薬調製物と有害生物を接触させる段階を含んでなる、方法。
【請求項１１】
請求項１の分散剤を含んでなる顔料、インキ又は染料調製物。
【請求項１２】
水性農業用組成物のオストワルド熟成を軽減するか又は妨げるための方法であって、水性農業用組成物への請求項１の分散剤の添加を含んでなり、ここで、水性農業用組成物は有害生物防除的に有効な量の有害生物防除剤を含む、方法。
【発明の詳細な説明】
【技術分野】
【０００１】
関連出願へのクロスリファレンス
本出願は、２０１６年１０月２４に申請された米国暫定特許出願第６２／４１１，７４８号明細書及び２０１６年３月８日に申請された米国暫定特許出願第６２／３０５，１６３号明細書の利益を請求し、それらの出願の開示全体は引用することによりそれらの内容が本明細書の内容となる。
【０００２】
連邦政府による資金提供を受けた研究開発の記載
適用なし（ｎｏｔ  ａｐｐｌｉｃａｂｌｅ）
【０００３】
発明の分野
本開示は一般的に農業用途における使用のための分散剤に関する。特に本開示の分散剤は、スチレン−無水マレイン酸コポリマーとポリエーテルモノアミンの反応から得られる生成物である。
【背景技術】
【０００４】
背景
多くの農業用途における活性成分は大部分が疎水性又は水に不溶性であり、多くの場合にやむをえず水性媒体中に懸濁された微粉砕固体として与えられる。これらの活性成分の大部分は、おそらく他の不溶性の不活性充填剤を添加された濃厚形態で製造され、販売され、それらは次いで適用の前に希釈される。例えば活性成分は、典型的には濃厚懸濁剤（ｓｕｓｐｅｎｓｉｏｎ  ｃｏｎｃｅｎｔｒａｔｅ）（ＳＣ）、水和剤（ＷＰ）又は水分散性顆粒剤（ｗａｔｅｒ  ｄｉｓｐｅｒｓｉｂｌｅ  ｇｒａｎｕｌｅ）（ＷＧ）の形態で入手可能である。しかしながら、一般的に活性成分の疎水性の故に、手によるか又は最小限の機械的混合を用いて容易に達成され得るような最小限の混合で均一な分散を達成するためには適した分散剤の添加が必須である。さらに、均一な分散が達成されたら、得られる懸濁剤は少なくとも噴霧のような通常の手段による適用を許すのに十分な時間、安定なままでなければならない。いずれの微粉砕された固体の沈降、凝集又はフロキュレーションも、一貫性のない無駄な適用ならびに噴霧装置の閉塞に導き得る。従って均一な分散系及び懸濁剤を与え、水性分散系の適用の間にその安定性を保持する分散剤を提供することが必要である。
【０００５】
現在用いられているＳＣ調製物のための分散剤には、疎水性部分及びエチレンオキシドに基づくエチレンオキシド／プロピレンオキシドブロックコポリマー界面活性剤が含まれる。非イオン性界面活性剤、特にトリスチリルフェノールエトキシレートのエーテルホスフェート誘導体も用いられる。用いられる通常のアニオン性界面活性剤にはアリールホルムアルデヒド縮合物のスルホン化誘導体、ポリアクリレート及びリグノスルホネートが含まれる。
【０００６】
ＷＰ及びＷＧ調製物のための分散剤は、通常分散剤が周囲温度で固体であり、非ゲル化性であり、且つ活性成分を溶解しないという必要条件により制限される。これらの理由で、通常の非イオン性界面活性剤は多くの場合に不適切であり、アニオン性分散剤が好ましい。ＷＰ及びＷＧ調製物のための既知の有効な分散剤にはスルホン化アルキルナフタレン／ホルムアルデヒド縮合物塩及びリグノスルホネート塩が含まれる。
【０００７】
部分的に水溶性の活性成分の場合の安定性の問題に対処するか又はそれを軽減するのみでなく、濃厚懸濁剤の保存寿命を向上させもする新規な分散剤を提供するのが有利である
。
【発明の概要】
【０００８】
概略
本開示は、スチレン−無水マレイン酸コポリマーとポリエーテルモノアミンの反応から得られる分散剤を提供する。本開示の分散剤を水性農業用組成物中ならびに顔料、インキもしくは染料調製物中で用いることができる。
【図面の簡単な説明】
【０００９】
図面の簡単な記載
【図１】分散剤の性能に関するスチレン対無水マレイン酸モル比の影響を描く図。
【図２】時間を経ての農薬組成物におけるメジアン粒度の向上を描くグラフ。
【図３】農薬懸濁剤の粘度への温度上昇の影響を描くグラフ。
【発明を実施するための形態】
【００１０】
詳細な記載
もし本明細書に現れる場合、「含んでなる」という用語及びその派生語は、追加の成分、段階又は方法が本明細書中で開示されていてもいなくても、それらの存在を排除することを意図していない。いかなる疑問も避けるために、「含んでなる」という用語の使用を介して本明細書で特許請求されるすべての組成物は、そうでないと記載されなければ、追加の添加剤、助剤又は化合物を含むことができる。対照的に、「本質的に〜より成る」という用語は、本明細書に現れる場合、操作性に必須でないものを除いて、他の成分、段階又は方法を続く記述の範囲から排除し、「〜より成る」という用語は、用いられる場合、特定的に記述されるかもしくは挙げられていないいずれの成分、段階又は方法も排除する。「又は」という用語は、他にことわらなければ、挙げられているメンバーを個別に、ならびにいずれかの組み合わせにおいて指す。
【００１１】
“ａ”及び“ａｎ”という冠詞は、冠詞の文法的な対象の１つ又は１つより多く（すなわち少なくとも１つ）を指すために本明細書で用いられる。例えば「アミン（ａｎ  ａｍｉｎｅ）」は１種のアミン又は１種より多いアミンを意味する。「１つの側面において」、「１つの側面に従うと」などの句は一般に、句に続く特定の特徴、構造又は特性が本開示の少なくとも１つの態様に含まれ、且つ本開示の１つより多い態様に含まれ得ることを意味する。重要なことに、そのような句は必ずしも同じ態様を指さない。明細書が、ある成分又は特徴が含まれるか又はある特性を有する「ことができる（ｍａｙ）」、「ことができる（ｃａｎ）」、「ことができた（ｃｏｕｌｄ）」又は「ことができた（ｍｉｇｈｔ）」と記載する場合、その特定の成分又は特徴が含まれるか、又はその特性を有する必要はない。
【００１２】
「オストワルド熟成（Ｏｓｔｗａｌｄ  ｒｉｐｅｎｉｎｇ）」という用語は、媒体中に分散された沈殿又は個体粒子の粗大化を指し、溶液における相分離の最終的な段階であり、その間に沈殿又は固体粒子の中のより大きな粒子がより小さい粒子を犠牲にして成長し、より小さい粒子は消失する。
【００１３】
「濃厚懸濁剤組成物（ｓｕｓｐｅｎｓｉｏｎ  ｃｏｎｃｅｎｔｒａｔｅ  ｃｏｍｐｏｓｉｔｉｏｎ）」という用語及び派生語は、水中に分散された有害生物防除剤（ｐｅｓｔｉｃｉｄｅ）の微粉砕固体粒子を含んでなる組成物を指す。該粒子は独自性を保持しており、物理的に液体から分離され得る。
【００１４】
「有害生物防除剤（ｐｅｓｔｉｃｉｄｅ）」という用語は、殺菌・殺カビ剤（ｆｕｎｇｉｃｉｄｅ）、殺虫剤（ｉｎｓｅｃｔｉｃｉｄｅ）、殺線虫剤（ｎｅｍａｔｉｃｉｄｅ）
、除草剤（ｈｅｒｂｉｃｉｄｅ）、毒性緩和剤（ｓａｆｅｎｅｒ）、植物成長調節剤及びそれらの混合物より成る群から選ばれるすくなくとも１種の有害生物防除剤を指す。１つの特定の側面において、有害生物防除剤は殺菌・殺カビ剤、殺虫剤、除草剤及びそれらの混合物より成る群から選ばれる。当該技術分野における熟練者はそのような有害生物防除剤に精通しており、それらを例えばＰｅｓｔｉｃｉｄｅ  Ｍａｎｕａｌ，１５ｔｈ  Ｅｄ．（２０１１），Ｔｈｅ  Ｂｒｉｔｉｓｈ  Ｃｒｏｐ  Ｐｒｏｔｅｃｔｉｏｎ  Ｃｏｕｎｃｉｌ，Ｌｏｎｄｏｎにおいて見出すことができる。
【００１５】
殺菌・殺カビ剤は、菌・カビ性病原体を殺害するか、抑制するか又は他の方法でその成長を不利に変更する活性成分を意味する。本開示において用いられ得る殺菌・殺カビ剤の例には：（３−エトキシプロピル）−水銀ブロミド、２−メトキシエチル水銀クロリド、２−フェニルフェノール、８−ヒドロキシキノリンサルフェート、８−フェニルマーキュリオキシキノリン、アシベンゾラル（ａｃｉｂｅｎｚｏｌａｒ）、アシベンゾラル−Ｓ−メチル、アシペタクス（ａｃｙｐｅｔａｃｓ）、アシペタクス−銅、アシペタクス−亜鉛、アルジモルフ（ａｌｄｉｍｏｒｐｈ）、アリルアルコール、アメトクトラジン（ａｍｅｔｏｃｔｒａｄｉｎ）、アミスネブロム（ａｍｉｓｕｌｂｒｏｍ）、アンプロピルフォス（ａｍｐｒｏｐｙｌｆｏｓ）、アニラジン（ａｎｉｌａｚｉｎｅ）、アウレオフンジン（ａｕｒｅｏｆｕｎｇｉｎ）、アザコナゾール（ａｚａｃｏｎａｚｏｌｅ）、アジチラム（ａｚｉｔｈｉｒａｍ）、アゾキシストロビン（ａｚｏｘｙｓｔｒｏｂｉｎ）、バリウムポリスルフィド、ベナラキシル（ｂｅｎａｌａｘｙｌ）、ベナラキシル−Ｍ、ベノダニル（ｂｅｎｏｄａｎｉｌ）、ベノミル（ｂｅｎｏｍｙｌ）、ベンクイノクス（ｂｅｎｑｕｉｎｏｘ）、ベンタルロン（ｂｅｎｔａｌｕｒｏｎ）、ベンチアバリカルブ（ｂｅｎｔｈｉａｖａｌｉｃａｒｂ）、ベンチアバリカルブ−イソプロピル、ベンズアルコニウムクロリド、ベンザマクリル（ｂａｎｚａｍａｃｒｉｌ）、ベンザマクリル−イソブチル、ベンザモルフ（ｂａｎｚａｍｏｒｆ）、ベンゾヒドロキサム酸、ベトキサジン（ｂｅｔｈｏｘａｚｉｎ）、ビナパクリル（ｂｉｎａｐａｃｒｙｌ）、ビフェニル、ビテルタノル（ｂｉｔｅｒｔａｎｏｌ）、ビチオノル（ｂｉｔｈｉｏｎｏｌ）、ビクサフェン（ｂｉｘａｆｅｎ）、ブラスチシジン−Ｓ（ｂｌａｓｔｉｃｉｄｉｎ−Ｓ）、ボルドー混合物、ボスカリド（ｂｏｓｃａｌｉｄ）、ブロムコナゾール（ｂｒｏｍｕｃｏｎａｚｏｌｅ）、ブピリメート（ｂｕｐｉｒｉｍａｔｅ）、ブルゴーニュ（Ｂｕｒｇｕｎｄｙ）混合物、ブチオベート（ｂｕｔｈｉｏｂａｔｅ）、ブチルアミン、カルシウムポリスルフィド、カプタフォル（ｃａｐｔａｆｏｌ）、カプタン（ｃａｐｔａｎ）、カルバモルフ（ｃａｒｂａｍｏｒｐｈ）、カルベンダジン（ｃａｒｂｅｎｄａｚｉｍ）、カルボキシン（ｃａｒｂｏｘｉｎ）、カルプロパミド（ｃａｒｐｒｏｐａｍｉｄ）、カルボン（ｃａｒｖｏｎｅ）、チェシャント（Ｃｈｅｓｈｕｎｔ）混合物、チノメチオナト（ｃｈｉｎｏｍｅｔｈｉｏｎａｔ）、クロベンチアゾン（ｃｈｌｏｂｅｎｔｈｉａｚｏｎｅ）、クロラニフォルメタン（ｃｈｌｏｒａｎｉｆｏｒｍｅｔｈａｎ）、クロラニル（ｃｈｌｏｒａｎｉｌ）、クロルフェナゾール（ｃｈｌｏｒｆｅｎａｚｏｌｅ）、クロロジニトロナフタレン、クロロネブ（ｃｈｌｏｒｏｎｅｂ）、クロロピクリン（ｃｈｌｏｒｏｐｉｃｒｉｎ）、クロロタロニル（ｃｈｌｏｒｏｔｈａｌｏｎｉｌ）、クロルクイノクス（ｃｈｌｏｒｑｕｉｎｏｘ）、クロゾリネート（ｃｈｌｏｚｏｌｉｎａｔｅ）、クリムバゾール（ｃｌｉｍｂａｚｏｌｅ）、クロツリマゾール（ｃｌｏｔｒｉｍａｚｏｌｅ）、酢酸銅、炭酸銅、塩基性（ｂａｓｉｃ）、水酸化銅、ナフテン酸銅、オレイン酸銅、オキシ塩化銅、ケイ酸銅、硫酸銅、クロム酸亜鉛銅、クレゾール、クフラネブ（ｃｕｆｒａｎｅｂ）、クプロバム（ｃｕｐｒｏｂａｍ）、酸化第一銅、シアゾファミド（ｃｙａｚｏｆａｍｉｄ）、シクラフラミド（ｃｙｃｌａｆｕｒａｍｉｄ）、シクロヘキシミド（ｃｙｃｌｏｈｅｘｉｍｉｄｅ）、シフルフェナミド（ｃｙｆｌｕｆｅｎａｍｉｄ）、シモキサニル（ｃｙｍｏｘａｎｉｌ）、シペンダゾール（ｃｙｐｅｎｄａｚｏｌｅ）、シプロコナゾール（ｃｙｐｒｏｃｏｎａｚｏｌｅ）、シプロジニル（ｃｙｐｒｏｄｉｎｉｌ）、ダゾメト（ｄａｚｏｍｅｔ）、ダゾメト−ナトリウム、ＤＢＣＰ、デバカルブ（ｄｅｂａｃａｒｂ）、デカフェンチン（ｄｅｃａｆｅｎｔｉｎ）、デヒドロ酢酸、ジクロフルアニド（ｄｉｃｈｌｏｆｌｕａｎｉｄ）、ジクロン（ｄｉｃｈｌｏｎｅ）、ジクロロフェン（ｄｉｃｈｌｏｒｏｐｈｅｎ）、ジクロゾリン（ｄｉｃｈｌｏｚｏｌｉｎｅ）、ジクロブトラゾル（ｄｉｃｈｌｏｂｕｔｒａｚｏｌ）、ジクロシメト（ｄｉｃｌｏｃｙｍｅｔ）、ジクロメジン（ｄｉｃｌｏｍｅｚｉｎｅ）、ジクロメジン−ナトリウム、ジクロラン（ｄｉｃｌｏｒａｎ）、ジエトフェンカルブ（ｄｉｅｔｈｏｆｅｎｃａｒｂ）、ジエチルピロカーボネート、ジフェノコナゾール（ｄｉｆｅｎｏｃｏｎａｚｏｌｅ）、ジフルメトリム（ｄｉｆｌｕｍｅｔｏｒｉｍ）、ジメチリモル（ｄｉｍｅｔｈｉｒｉｍｏｌ）、ジメトモルフ（ｄｉｍｅｔｈｏｍｏｒｐｈ）、ジモキシストロビン（ｄｉｍｏｘｙｓｔｒｏｂｉｎ）、ジニコナゾール（ｄｉｎｉｃｏｎａｚｏｌｅ）、ジニコナゾール−Ｍ、ジノブトン（ｄｉｎｏｂｕｔｏｎ）、ジノカプ（ｄｉｎｏｃａｐ）、ジノカプ−４、ジノカプ−６、ジノクトン（ｄｉｎｏｃｔｏｎ）、ジノペントン（ｄｉｎｏｐｅｎｔｏｎ）、ジノスルフォン（ｄｉｎｏｓｕｌｆｏｎ）、ジノテルボン（ｄｉｎｏｔｅｒｂｏｎ）、ジフェニルアミン、ジピリチオン（ｄｉｐｙｒｉｔｈｉｏｎｅ）、ジスルフィラム（ｄｉｓｕｌｆｉｒａｍ）、ジタリムフォス（ｄｉｔａｌｉｍｆｏｓ）、ジチアノン（ｄｉｔｈｉａｎｏｎ）、ＤＮＯＣ、ＤＮＯＣ−アンモニウム、ＤＮＯＣ−カリウム、ＤＮＯＣ−ナトリウム、ドデモルフ（ｄｏｄｅｍｏｒｐｈ）、ドデモルフアセテート、ドデモルフベンゾエート、ドジシン（ｄｏｄｉｃｉｎ）、ドジシン−ナトリウム、ドジン（ｄｏｄｉｎｅ）、ドラゾキソロン（ｄｒａｚｏｘｏｌｏｎ）、エジフェンフォス（ｅｄｉｆｅｎｐｈｏｓ）、エポキシコナゾール（ｅｐｏｘｉｃｏｎａｚｏｌｅ）、エタコナゾール（ｅｔａｃｏｎａｚｏｌｅ）、エテム（ｅｔｅｍ）、エタボキサム（ｅｔｈａｂｏｘａｍ）、エチリモル（ｅｔｈｉｒｉｍｏｌ）、エトキシクイン（ｅｔｈｏｘｙｑｕｉｎ）、エチル水銀２，３−ジヒドロキシプロピルメルカプチド、エチル水銀アセテート、エチル水銀ブロミド、エチル水銀クロリド、エチル水銀ホスフェート、エツルジアゾール（ｅｔｒｉｄｉａｚｏｌｅ）、ファモキサドン（ｆａｍｏｘａｄｏｎｅ）、フェナミドン（ｆｅｎａｍｉｄｏｎｅ）、フェナミノスルフ（ｆｅｎａｍｉｎｏｓｕｌｆ）、フェナパニル（ｆｅｎａｐａｎｉｌ）、フェナリモル（ｆｅｎａｒｉｍｏｌ）、フェンブコナゾール（ｆｅｎｂｕｃｏｎａｚｏｌｅ）、フェンフラム（ｆｅｎｆｕｒａｍ）、フェンヘキサミド（ｆｅｎｈｅｘａｍｉｄ）、フェニトロパン（ｆｅｎｉｔｒｏｐａｎ）、フェノキサニル（ｆｅｎｏｘａｎｉｌ）、フェンピクロニル（ｆｅｎｐｉｃｌｏｎｉｌ）、フェンプロピジン（ｆｅｎｐｒｏｐｉｄｉｎ）、フェンプロピモルフ（ｆｅｎｐｒｏｐｉｍｏｒｐｈ）、フェンチン（ｆｅｎｔｉｎ）、フェンチンクロリド、フェンチンヒドロキシド、フェルバム（ｆｅｒｂａｍ）、フェリムゾン（ｆｅｒｉｍｚｏｎｅ）、フルアジナム（ｆｌｕａｚｉｎａｍ）、フルジオキソニル（ｆｌｕｄｉｏｘｏｎｉｌ）、フルメトベル（ｆｌｕｍｅｔｏｖｅｒ）、フルモルフ（ｆｌｕｍｏｒｐｈ）、フルオピコリド（ｆｌｕｏｐｉｃｏｌｉｄｅ）、フルオピラム（ｆｌｕｏｐｙｒａｍ）、フルオロイミド（ｆｌｕｏｒｏｉｍｉｄｅ）、フルオツリマゾール（ｆｌｕｏｔｒｉｍａｚｏｌｅ）、フルオキサストロビン（ｆｌｕｏｘａｓｔｒｏｂｉｎ）、フルクインコナゾール（ｆｌｕｑｕｉｎｃｏｎａｚｏｌｅ）、フルシラゾール（ｆｌｕｓｉｌａｚｏｌｅ）、フルスルファミド（ｆｌｕｓｕｌｆａｍｉｄｅ）、フルチアニル（ｆｌｕｔｉａｎｉｌ）、フルトラニル（ｆｌｕｔｏｌａｎｉｌ）、フルツルアフォル（ｆｌｕｔｒｉａｆｏｌ）、フルキサピロキサド（ｆｌｕｘａｐｙｒｏｘａｄ）、フォルペト（ｆｏｌｐｅｔ）、ホルムアルデヒド、フォセチル（ｆｏｓｅｔｙｌ）、フォセチル−アルミニウム、フベリダゾール（ｆｕｂｅｒｉｄａｚｏｌｅ）、フララキシル（ｆｕｒａｌａｘｙｌ）、フラメトピル（ｆｕｒａｍｅｔｐｙｌ）、フルカルバニル（ｆｕｒｃａｒｂａｎｉｌ）、フルコナゾール（ｆｕｒｃｏｎａｚｏｌｅ）、フルコナゾール−シス、フルフラール、フルメシクロクス（ｆｕｒｍｅｃｙｃｌｏｘ）、フロファネート（ｆｕｒｏｐｈａｎａｔｅ）、グリオジン（ｇｌｙｏｄｉｎ）、グリセオフルビン（ｇｒｉｓｅｏｆｕｌｖｉｎ）、グアザチン（ｇｕａｚａｔｉｎｅ）、ハラクリネート（ｈａｌａｃｒｉｎａｔｅ）、ヘキサクロロベンゼン、ヘキサクロロブタジエン、ヘクサコナゾール（ｈｅｘａｃｏｎａｚｏｌｅ）、ヘキシルチオフォス（ｈｅｘｙｌｔｈｉｏｆｏｓ）、ヒドラルガフェン（ｈｙｄｒａｒｇａｐｈｅｎ）、ヒメキサゾル（ｈｙｍｅｘａｚｏｌ）、イマザリル（ｉｍａｚａｌｉｌ）、イマザリルナイトレート、イマザリルサルフェート、イミベンコナゾール（ｉｍｉｂｅｎｃｏｎａｚｏｌｅ）、イミノクタジン（ｉｍｉｎｏｃｔａｄｉｎｅ）、イミノクタジントリアセテート、イミノクタジントリアルベシレート（ｔｒｉａｌｂｅｓｉｌａｔｅ）、ヨードメタン、イプコナゾール（ｉｐｃｏｎａｚｏｌｅ）、イプロベンフォス（ｉｐｒｏｂｅｎｆｏｓ）、イプロジオン（ｉｐｒｏｄｉｏｎｅ）、イプロバリカルブ（ｉｐｒｏｖａｌｉｃａｒｂ）、イソプロチオラン、イソピラザム（ｉｓｏｐｙｒａｚａｍ）、イソチアニル（ｉｓｏｔｉａｎｉｌ）、イソバレジオン（ｉｓｏｖａｌｅｄｉｏｎｅ）、カスガマイシン（ｋａｓｕｇａｍｙｃｉｎ）、クレソキシム−メチル（ｋｒｅｓｏｘｉｍ−ｍｅｔｈｙｌ）、マンコッパー（ｍａｎｃｏｐｐｅｒ）、マンコゼブ（ｍａｎｃｏｚｅｂ）、マンジプロパミド（ｍａｎｄｉｐｒｏｐａｍｉｄ）、マネブ（ｍａｎｅｂ）、メベニル（ｍｅｂｅｎｉｌ）、メカルビンジド（ｍｅｃａｒｂｉｎｚｉｄ）、メパニピリム（ｍｅｐａｎｉｐｙｒｉｍ）、メプロニル（ｍｅｐｒｏｎｉｌ）、メプチルジノカプ（ｍｅｐｔｙｌｄｉｎｏｃａｐ）、塩化第二水銀、酸化第二水銀、塩化第一水銀、メタラキシル（ｍｅｔａｌａｘｙｌ）、メタラキシル−Ｍ、メタム（ｍｅｔａｍ）、メタム−アンモニウム、メタム−カリウム、メタム−ナトリウム、メタゾキソロン（ｍｅｔａｚｏｘｏｌｏｎ）、メトコナゾール（ｍｅｔｃｏｎａｚｏｌｅ）、メタスルフォカルブ（ｍｅｔｈａｓｕｌｆｏｃａｒｂ）、メトフロキサム（ｍｅｔｈｆｕｒｏｘａｍ）、臭化メチル、メチルイソチオシアナート、メチル水銀ベンゾエート、メチル水銀ジシアンジアミド、メチル水銀ペンタクロロフェノキシド、メチラム（ｍｅｔｉｒａｍ）、メトミノストロビン（ｍｅｔｏｍｉｎｏｓｔｒｏｂｉｎ）、メトラフェノン（ｍｅｔｒａｆｅｎｏｎｅ）、メトスルフォバクス（ｍｅｔｓｕｌｆｏｖａｘ）、ミルネブ（ｍｉｌｎｅｂ）、ミクロブタニル（ｍｙｃｌｏｂｕｔａｎｉｌ）、ミクロゾリン（ｍｙｃｌｏｚｏｌｉｎ）、Ｎ−（エチル水銀）−ｐ−トルエンスルホンアニリド、ナバム（ｎａｂａｍ）、ナタマイシン（ｎａｔａｍｙｃｉｎ）、ニトロスチレン、ニトロタル−イソプロピル、ヌアリモル（ｎｕａｒｉｍｏｌ）、ＯＣＨ、オクチリノン（ｏｃｔｈｉｌｉｎｏｎｅ）、オフレース（ｏｆｕｒａｃｅ）、オリサストロビン（ｏｒｙｓａｓｔｒｏｂｉｎ）、オキサジキシル（ｏｘａｄｉｘｙｌ）、オキシン−銅（ｏｘｉｎｅ−ｃｏｐｐｅｒ）、オクスポコナゾール（ｏｘｐｏｃｏｎａｚｏｌｅ）、オクスポコナゾールフマレート、オキシカルボキシン（ｏｘｙｃａｒｂｏｘｉｎ）、ペフラゾエート（ｐｅｆｕｒａｚｏａｔｅ）、ペンコナゾール（ｐｅｎｃｏｎａｚｏｌｅ）、ペンシクロン（ｐｅｎｃｙｃｕｒｏｎ）、ペンフルフェン（ｐｅｎｆｌｕｆｅｎ）、ペンタクロロフェノール、ペンチオピラド（ｐｅｎｔｈｉｏｐｙｒａｄ）、フェニル水銀尿素（ｐｈｅｎｙｌｍｅｒｃｕｒｉｕｒｅａ）、フェニル水銀アセテート、フェニル水銀クロリド、ピロカテコールのフェニル水銀誘導体、フェニル水銀ナイトレート、フェニル水銀サリチレート、フォスジフェン（ｐｈｏｓｄｉｐｈｅｎ）、フタリド（ｐｈｔｈａｌｉｄｅ）、ピコキシストロビン（ｐｉｃｏｘｙｓｔｒｏｂｉｎ）、ピペラリン（ｐｉｐｅｒａｌｉｎ）、ポリカ
ルバメート、ポリオキシン類（ｐｏｌｙｏｘｉｎｓ）、ポリオキソリム（ｐｏｌｙｏｘｏｒｉｍ）、ポリオキソリム−亜鉛、カリウムアジド、カリウムポリスルフィド、カリウムチオシアナート、プロベナゾール（ｐｒｏｂｅｎａｚｏｌｅ）、プロクロラツ（ｐｒｏｃｈｌｏｒａｚ）、プロシミドン（ｐｒｏｃｙｍｉｄｏｎｅ）、プロパモカルブ（ｐｒｏｐａｍｏｃａｒｂ）、プロパモカルブヒドロクロリド、プロピコナゾール（ｐｒｏｐｉｃｏｎａｚｏｌｅ）、プロピネブ（ｐｒｏｐｉｎｅｂ）、プロクイナジド（ｐｒｏｑｕｉｎａｚｉｄ）、プロチオカルブ（ｐｒｏｔｈｉｏｃａｒｂ）、プロチオカルブヒドロクロリド、プロチオコナゾール（ｐｒｏｔｈｉｏｃｏｎａｚｏｌｅ）、ピラカルボリド（ｐｙｒａｃａｒｂｏｌｉｄ）、ピラクロストロビン（ｐｙｒａｃｌｏｓｔｒｏｂｉｎ）、ピラクロストロビン、ピラメトストロビン（ｐｙｒａｍｅｔｏｓｔｒｏｂｉｎ）、ピラオキシストロビン（ｐｙｒａｏｘｙｓｔｒｏｂｉｎ）、ピラゾフォス（ｐｙｒａｚｏｐｈｏｓ）、ピリベンカルブ（ｐｙｒｉｂｅｎｃａｒｂ）、ピリジニツリル（ｐｙｒｉｄｉｎｉｔｒｉｌ）、ピリフェノクス（ｐｙｒｉｆｅｎｏｘ）、ピリメタニル（ｐｙｒｉｍｅｔｈａｎｉｌ）、ピリオフェノン（ｐｙｒｉｏｆｅｎｏｎｅ）、ピロクイロン（ｐｙｒｏｑｕｉｌｏｎ）、ピロキシクロル（ｐｙｒｏｘｙｃｈｌｏｒ）、ピロキシフル（ｐｙｒｏｘｙｆｕｒ）、クイナセトル（ｑｕｉｎａｃｅｔｏｌ）、クイナセトルサルフェート、クイナザミド（ｑｕｉｎａｚａｍｉｄ）、クインコナゾール（ｑｕｉｎｃｏｎａｚｏｌｅ）、クイノキシフェン（ｑｕｉｎｏｘｙｆｅｎ）、クイントゼン（ｑｕｉｎｔｏｚｅｎｅ）、ラベンザゾール（ｒａｂｅｎｚａｚｏｌｅ）、サリチルアニリド、セダキサン（ｓｅｄａｘａｎｅ）、シルチオファム（ｓｉｌｔｈｉｏｆａｍ）、シメコナゾール（ｓｉｍｅｃｏｎａｚｏｌｅ）、ナトリウムアジド、ナトリウムオルトフェニルフェノキシド、ナトリウムペンタクロロフェノキシド、ナトリウムポリスルフィド、スピロキサミン（ｓｐｉｒｏｘａｍｉｎｅ）、ストレプトマイシン（ｓｔｒｅｐｔｏｍｙｃｉｎ）、硫黄、スルツロペン（ｓｕｌｔｒｏｐｅｎ）、ＴＣＭＴＢ、テブコナゾール（ｔｅｂｕｃｏｎａｚｏｌｅ）、テブフロクイン（ｔｅｂｕｆｌｏｑｕｉｎ）、テクロフタラム（ｔｅｃｌｏｆｔａｌａｍ）、テクナゼン（ｔｅｃｎａｚｅｎｅ）、テコラム（ｔｅｃｏｒａｍ）、テトラコナゾール（ｔｅｔｒａｃｏｎａｚｏｌｅ）、チアベンダゾール（ｔｈｉａｂｅｎｄａｚｏｌｅ）、チアジフルオル（ｔｈｉａｄｉｆｌｕｏｒ）、チシオフェン（ｔｈｉｃｙｏｆｅｎ）、チフルザミド（ｔｈｉｆｌｕｚａｍｉｄｅ）、チオクロルフェンフィム（ｔｈｉｏｃｈｌｏｒｆｅｎｐｈｉｍ）、チオメルサル（ｔｈｉｏｍｅｒｓａｌ）、チオファネート（ｔｈｉｏｐｈａｎａｔｅ）、チオファネート−メチル、チオクイノクス（ｔｈｉｏｑｕｉｎｏｘ）、チラム（ｔｈｉｒａｍ）、チアジニル（ｔｉａｄｉｎｉｌ）、チオキシミド（ｔｉｏｘｙｍｉｄ）、トルクロフォス−メチル（ｔｏｌｃｌｏｆｏｓ−ｍｅｔｈｙｌ）、トリルフルアニド（ｔｏｌｙｌｆｌｕａｎｉｄ）、トリル水銀アセテート、トリアジメフォン（ｔｒｉａｄｉｍｅｆｏｎ）、トリアジメルノル（ｔｒｉａｄｉｍｅｎｏｌ）、トリアミフォス（ｔｒｉａｍｉｐｈｏｓ）、トリアリモル（ｔｒｉａｒｉｍｏｌ）、トリアズブチル（ｔｒｉａｚｂｕｔｉｌ）、トリアゾキシド（ｔｒｉａｚｏｘｉｄｅ）、トリブチル錫オキシド、トリクラミド（ｔｒｉｃｈｌａｍｉｄｅ）、トリシクラゾール（ｔｒｉｃｙｃｌａｚｏｌｅ）、トリデモルフ（ｔｒｉｄｅｍｏｒｐｈ）、トリフロキシストロビン（ｔｒｉｆｌｏｘｙｓｔｒｏｂｉｎ）、トリフルミゾール（ｔｒｉｆｌｕｍｉｚｏｌｅ）、トリフォリン（ｔｒｉｆｏｒｉｎｅ）、トリチコナゾール（ｔｒｉｔｉｃｏｎａｚｏｌｅ）、ユニコナゾール（ｕｎｉｃｏｎａｚｏｌｅ）、ユニコナゾール−Ｐ、バリダマイシン（ｖａｌｉｄａｍｙｃｉｎ）、バリフェナレート（ｖａｌｉｆｅｎａｌａｔｅ）、ビンクロゾリン（ｖｉｎｃｌｏｚｏｌｉｎ）、ザリラミド（ｚａｒｉｌａｍｉｄ）、ナフテン酸亜鉛、ジネブ（ｚｉｎｅｂ）、ジラム（ｚｉｒａｍ）、ゾキサミド（ｚｏｘａｍｉｄｅ）及びそれらの混合物が含まれるがこれらに限られない。
【００１６】
殺虫剤は、昆虫を殺害するか、抑制するか又は他の方法でその成長を不利に変更する活性成分を意味する。本開示において用いられ得る殺虫剤の例には：１，２−ジクロロプロパン、アバメクチン（ａｂａｍｅｃｔｉｎ）、アセフェート（ａｃｅｐｈａｔｅ）、アセタミプリド（ａｃｅｔａｍｉｐｒｉｄ）、アセチオン（ａｃｅｔｈｉｏｎ）、アセトプロル（ａｃｅｔｏｐｒｏｌｅ）、アクリナスリン（ａｃｒｉｎａｔｈｒｉｎ）、アクリロニトリル、アラニカルブ（ａｌａｎｙｃａｒｂ）、アルジカルブ（ａｌｄｉｃａｒｂ）、アルドキシカルブ（ａｌｄｏｘｙｃａｒｂ）、アリドリン（ａｌｄｒｉｎ）、アレスリン（ａｌｌｅｔｈｒｉｎ）、アロサミジン（ａｌｌｏｓａｍｉｄｉｎ）、アリキシカルブ（ａｌｌｙｘｙｃａｒｂ）、アルファ−シペルメスリン（ａｌｐｈａ−ｃｙｐｅｒｍｅｔｈｒｉｎ）、アルファ−エクジソン（ａｌｐｈａ−ｅｃｄｙｓｏｎｅ）、アルファ−エンドスルファン（ａｌｐｈａ−ｅｎｄｏｓｕｌｆａｎ）、アミジチオン（ａｍｉｄｉｔｈｉｏｎ）、アミノカルブ（ａｍｉｎｏｃａｒｂ）、アミトン（ａｍｉｔｏｎ）、アミトンオキザレート、アミツラツ（ａｍｉｔｒａｚ）、アナバシン（ａｎａｂａｓｉｎｅ）、アチダチオン（ａｔｈｉｄａｔｈｉｏｎ）、アザジラクチン（ａｚａｄｉｒａｃｈｔｉｎ）、アザメチフォス（ａｚａｍｅｔｈｉｐｈｏｓ）、アジンフォス−エチル（ａｚｉｎｐｈｏｓ−ｅｔｈｙｌ）、アジンフォス−メチル、アゾトエート（ａｚｏｔｈｏａｔｅ）、ヘキサフルオロケイ酸バリウム、バルスリン（ｂａｒｔｈｒｉｎ）、ベンジオカルブ（ｂｅｎｄｉｏｃａｒｂ）、ベンフラカルブ（ｂｅｎｆｕｒａｃａｒｂ）、ベンスルタプ（ｂｅｎｓｕｌｔａｐ）、ベータ−シフルスリン（ｂｅｔａ−ｃｙｆｌｕｔｈｒｉｎ）、ベータ−シペルメスリン、ビフェンスリン（ｂｉｆｅｎｔｈｒｉｎ）、ビオアレスリン（ｂｉｏａｌｌｅｔｈｒｉｎ）、ビオエタノメスリン（ｂｉｏｅｔｈａｎｏｍｅｔｈｒｉｎ）、ビオペルメスリン（ｂｉｏｐｅｒｍｅｔｈｒｉｎ）、ビスツリフルオロン（ｂｉｓｔｒｉｆｌｕｏｒｏｎ）、ボラクス（ｂｏｒａｘ）、ホウ酸、ブロムフェンビンフォス（ｂｒｏｍｆｅｎｖｉｎｆｏｓ）、ブロモシクレン（ｂｒｏｍｏｃｙｃｌｅｎ）、ブロモ−ＤＤＴ、ブロモフォス（ｂｒｏｍｏｐｈｏｓ）、ブロモフォス−エチル、ブフェンカルブ（ｂｕｆｅｎｃａｒｂ）、ブプロフェジン（ｂｕｐｒｏｆｅｚｉｎ）、ブタカルブ（ｂｕｔａｃａｒｂ）、ブタチオフォス（ｂｕｔａｔｈｉｏｆｏｓ）、ブトカルボキシム（ｂｕｔｏｃａｒｂｏｘｉｍ）、ブトネート（ｂｕｔｏｎａｔｅ）、ブトキシカルボキシム（ｂｕｔｏｘｙｃａｒｂｏｘｉｍ）、カズサフォス（ｃａｄｕｓａｆｏｓ）、ヒ酸カルシウム、カルシウムポリスルフィド、カムフェクロル（ｃａｍｐｈｅｃｈｌｏｒ）、カルバノレート（ｃａｒｂａｎｏｌａｔｅ）、カルバリル（ｃａｒｂａｒｙｌ）、カルボフラン（ｃａｒｂｏｆｕｒａｎ）、二硫化炭素、四塩化炭素、カルボフェノチオン（ｃａｒｂｏｐｈｅｎｏｔｈｉｏｎ）、カルボスルファン（ｃａｒｂｏｓｕｌｆａｎ）、カルタプ（ｃａｒｔａｐ）、カルタプヒドロクロリド、クロラントラニリプロル（ｃｈｌｏｒａｎｔｒａｎｉｌｉｐｒｏｌｅ）、クロルビシクレン（ｃｈｌｏｒｂｉｃｙｃｌｅｎ）、クロルダン（ｃｈｌｏｒｄａｎｅ）、クロルデコン（ｃｈｌｏｒｄｅｃｏｎｅ）、クロルジメフォルム（ｃｈｌｏｒｄｉｍｅｆｏｒｍ）、クロルジメフォルムヒドロクロリド、クロレトキシフォス（ｃｈｌｏｒｅｔｈｏｘｙｆｏｓ）、クロルフェナピル（ｃｈｌｏｒｆｅｎａｐｙｒ）、クロルフェンビンフォス（ｃｈｌｏｒｆｅｎｖｉｎｐｈｏｓ）、クロルフルアズロン（ｃｈｌｏｒｆｌｕａｚｕｒｏｎ）、クロルメフォス（ｃｈｌｏｒｍｅｐｈｏｓ）、クロロホルム、クロロピクリン、クロルフォキシム（ｃｈｌｏｒｐｈｏｘｉｍ）、クロルプラゾフォス（ｃｈｌｏｒｐｒａｚｏｐｈｏｓ）、クロルピリフォス（ｃｈｌｏｒｐｙｒｉｆｏｓ）、クロルピリフォス−メチル、クロルチオフォス（ｃｈｌｏｒｔｈｉｏｐｈｏｓ）、クロマフェノジド（ｃｈｒｏｍａｆｅｎｏｚｉｄｅ）、シネリン  Ｉ（ｃｉｎｅｒｉｎ  Ｉ）、シネリン  ＩＩ、シネリン類、シスメスリン（ｃｉｓｍｅｔｈｒｉｎ）、クロエトカルブ（ｃｌｏｅｔｈｏｃａｒｂ）、クロサンテル（ｃｌｏｓａｎｔｅｌ）、クロチアニジン（ｃｌｏｔｈｉａｎｉｄｉｎ）、アセト亜ヒ酸銅、ヒ酸銅、ナフテン酸銅、オレイン酸銅、クマフォス（ｃｏｕｍａｐｈｏｓ）、クミトエート（ｃｏｕｍｉｔｈｏａｔｅ）、クロタミトン（ｃｒｏｔａｍｉｔｏｎ）、クロトキシフォス（ｃｒｏｔｏｘｙｐｈｏｓ）、クルフォメート（ｃｒｕｆｏｍａｔｅ）、氷晶石、シアノフェンフォス（ｃｙａｎｏｆｅｎｐｈｏｓ）、シアノフォス（ｃｙａｎｏｐｈｏｓ）、シアントエート（ｃｙａｎｔｈｏａｔｅ）、シアントラニリプロル（ｃｙａｎｔｒａｎｉｌｉｐｒｏｌｅ）、シクレスリン（ｃｙｃｌｅｔｈｒｉｎ）、シクロプロスリン（ｃｙｃｌｏｐｒｏｔｈｒｉｎ）シフルスリン（ｃｙｆｌｕｔｈｒｉｎ）、シハロスリン（ｃｙｈａｌｏｔｈｒｉｎ）、シペルメスリン、シフェノスリン（ｃｙｐｈｅｎｏｔｈｒｉｎ）、シロマジン（ｃｙｒｏｍａｚｉｎｅ）、シチオエート（ｃｙｔｈｉｏａｔｅ）、ＤＤＴ、デカルボフラン（ｄｅｃａｒｂｏｆｕｒａｎ）、デルタメスリン（ｄｅｌｔａｍｅｔｈｒｉｎ）、デメフィオン（ｄｅｍｅｐｈｉｏｎ）、デメフィオン−Ｏ、デメフィオン−Ｓ、デメトン（ｄｅｍｅｔｏｎ）、デメトン−メチル、デメトン−Ｏ、デメトン−Ｏ−メチル、デメトン−Ｓ、デメトン−Ｓ−メチル、デメトン−Ｓ−メチルスルホン、ジアフェンチウロン（ｄｉａｆｅｎｔｈｉｕｒｏｎ）、ジアリフォス（ｄｉａｌｉｆｏｓ）、珪藻土、ジアジノン（ｄｉａｚｉｎｏｎ）、ジカプトン（ｄｉｃａｐｔｈｏｎ）、ジクロフェンチオン（ｄｉｃｈｌｏｆｅｎｔｈｉｏｎ）、ジクロルボス（ｄｉｃｈｌｏｒｖｏｓ）、ジクレシル（ｄｉｃｒｅｓｙｌ）、ジクロトフォス（ｄｉｃｒｏｔｏｐｈｏｓ）、ジシクラニル（ｄｉｃｙｃｌａｎｉｌ）、ジエルズリン（ｄｉｅｌｄｒｉｎ）、ジフルベンズロン（ｄｉｆｌｕｂｅｎｚｕｒｏｎ）、ジロル（ｄｉｌｏｒ）、ジメフルスリン（ｄｉｍｅｆｌｕｔｈｒｉｎ）、ジメフォクス（ｄｉｍｅｆｏｘ）、ジメタン（ｄｉｍｅｔａｎ）、ジメトエート（ｄｉｍｅｔｈｏａｔｅ）、ジメスリン（ｄｉｍｅｔｈｒｉｎ）、ジメチルビンフォス（ｄｉｍｅｔｈｙｌｖｉｎｐｈｏｓ）、ジメチラン（ｄｉｍｅｔｉｌａｎ）、ジネクス（ｄｉｎｅｘ）、ジネクス−ジクレキシン（ｄｉｎｅｘ−ｄｉｃｌｅｘｉｎｅ）、ジノプロプ（ｄｉｎｏｐｒｏｐ）、ジノサム（ｄｉｎｏｓａｍ）、ジノテフラン（ｄｉｎｏｔｅｆｕｒａｎ）、ジオフェノラン（ｄｉｏｆｅｎｏｌａｎ）、ジオキサベンゾフォス（ｄｉｏｘａｂｅｎｚｏｆｏｓ）、ジオキサカルブ（ｄｉｏｘａｃａｒｂ）、ジオキサチオン（ｄｉｏｘａｔｈｉｏｎ）、ジスルフォトン（ｄｉｓｕｌｆｏｔｏｎ）、ジチクロフォス（ｄｉｔｈｉｃｒｏｆｏｓ）、ｄ−リモネン、ＤＮＯＣ、ＤＮＯＣ−アンモニウム、ＤＮＯＣ−カリウム、ＤＮＯＣ−ナトリウム、ドラメクチン（ｄｏｒａｍｅｃｔｉｎ）、エクジステロン（ｅｃｄｙｓｔｅｒｏｎｅ）、エマメクチン（ｅｍａｍｅｃｔｉｎ）、エマメクチンベンゾエート、ＥＭＰＣ、エムペンスリン（ｅｍｐｅｎｔｈｒｉｎ）、エンドスルファン（ｅｎｄｏｓｕｌｆａｎ）、エンドチオン（ｅｎｄｏｔｈｉｏｎ）、エンドリン（ｅｎｄｒｉｎ）、ＥＰＮ、エポフェノナン（ｅｐｏｆｅｎｏｎａｎｅ）、エプリノメクチン（ｅｐｒｉｎｏｍｅｃｔｉｎ）、エスデパレスリン（ｅｓｄｅｐａｌｌｅｔｈｒｉｎｅ）、エスフェンバレレート（ｅｓｆｅｎｖａｌｅｒａｔｅ）、エタフォス（ｅｔａｐｈｏｓ）、エチオフェンカルブ（ｅｔｈｉｏｆｅｎｃａｒｂ）、エチオン（ｅｔｈｉｏｎ）、エチプロル（ｅｔｈｉｐｒｏｌｅ）、エトエート−メチル（ｅｔｈｏａｔｅ−ｍｅｔｈｙｌ）、エトプロフォス（ｅｔｈｏｐｒｏｐｈｏｓ）、ギ酸エチル、エチル−ＤＤＤ、エチレンジブロミド、エチレンジクロリド、エチレンオキシド、エトフェンプロクス（ｅｔｏｆｅｎｐｒｏｘ）、エツリムフォス（ｅｔｒｉｍｆｏｓ）、ＥＸＤ、ファムフル（ｆａｍｐｈｕｒ）、フェナミフォス（ｆｅｎａｍｉｐｈｏｓ）、フェナザフロル（ｆｅｎａｚａｆｌｏｒ）、フェンクロリフォス（ｆｅｎｃｈｌｏｒｐｈｏｓ）、フェネタカルブ（ｆｅｎｅｔｈａｃａｒｂ）、フェンフルスリン（ｆｅｎｆｌｕｔｈｒｉｎ）、フェニトロチオン（ｆｅｎｉｔｒｏｔｈｉｏｎ）、フェノブカルブ（ｆｅｎｏｂｕｃａｒｂ）、フェノキサクリム（ｆｅｎｏｘａｃｒｉｍ）、フェノキシカルブ（ｆｅｎｏｘｙｃａｒｂ）、フェンピリスリン（ｆｅｎｐｉｒｉｔｈｒｉｎ）、フェンプロパスリン（ｆｅｎｐｒｏｐａｔｈｒｉｎ）、フェンスルフォチオン（ｆｅｎｓｕｌｆｏｔｈｉｏｎ）、フェンチオン（ｆｅｎｔｈｉｏｎ）、フェンチオン−エチル、フェンバレレート（ｆｅｎｖａｌｅｒａｔｅ）、フィプロニル（ｆｉｐｒｏｎｉｌ）、フロニカミド（ｆｌｏｎｉｃａｍｉｄ）、フルベンジアミド（ｆｌｕｂｅｎｄｉａｍｉｄｅ）、フルコフロン（ｆｌｕｃｏｆｕｒｏｎ）、フルシクロクスロン（ｆｌｕｃｙｃｌｏｘｕｒｏｎ）、フルシスルネート（ｆｌｕｃｙｔｈｒｉｎａｔｅ）、フルフェネリム（ｆｌｕｆｅｎｅｒｉｍ）、フルフェノクスロン（ｆｌｕｆｅｎｏｘｕｒｏｎ）、フルフェンプロクス（ｆｌｕｆｅｎｐｒｏｘ）、フルバリネート（ｆｌｕｖａｌｉｎａｔｅ）、フォノフォス（ｆｏｎｏｆｏｓ）、フォルメタネート（ｆｏｒｍｅｔａｎａｔｅ）、フォルメタネートヒドロクロリド、フォルモチオン（ｆｏｒｍｏｔｈｉｏｎ）、フォルムパラネート（ｆｏｒｍｐａｒａｎａｔｅ）、フォルムパラネートヒドロクロリド、フォスメチラン（ｆｏｓｍｅｔｈｉｌａｎ）、フォスピレート（ｆｏｓｐｉｒａｔｅ）、フォスチエタン（ｆｏｓｔｈｉｅｔａｎ）、フフェノジド（ｆｕｆｅｎｏｚｉｄｅ）、フラチオカルブ（ｆｕｒａｔｈｉｏｃａｒｂ）、フレスリン（ｆｕｒｅｔｈｒｉｎ）、ガンマ−シハロスリン、ガンマ−ＨＣＨ、ハルフェンプロクス（ｈａｌｆｅｎｐｒｏｘ）、ハロフェノジド（ｈａｌｏｆｅｎｏｚｉｄｅ）、ＨＣＨ、ＨＥＯＤ、ヘプタクロル（ｈｅｐｔａｃｈｌｏｒ）、ヘプテノフォス（ｈｅｐｔｅｎｏｐｈｏｓ）、ヘテロフォス（ｈｅｔｅｒｏｐｈｏｓ）、ヘキサフルムロン（ｈｅｘａｆｌｕｍｕｒｏｎ）、ＨＨＤＮ、ヒドラメチルノン（ｈｙｄｒａｍｅｔｈｙｌｎｏｎ）、シアン化水素、ヒドロプレン、ヒクインカルブ（ｈｙｑｕｉｎｃａｒｂ）、イミダクロプリド（ｉｍｉｄａｃｌｏｐｒｉｄ）、イミプロスリン（ｉｍｉｐｒｏｔｈｒｉｎ）、インドキサカルブ（ｉｎｄｏｘａｃａｒｂ）、ヨードメタン、ＩＰＳＰ、イサゾフォス（ｉｓａｚｏｆｏｓ）、イソベンザン（ｉｓｏｂｅｎｚａｎ）、イソカルボフォス（ｉｓｏｃａｒｂｏｐｈｏｓ）、イソドリン（ｉｓｏｄｒｉｎ）、イソフェンフォス（ｉｓｏｆｅｎｐｈｏｓ）、イソフェンフォスメチル、イソプロカルブ（ｉｓｏｐｒｏｃａｒｂ）、イソプロチオラン（ｉｓｏｐｒｏｔｈｉｏｌａｎｅ）、イソチオエート（ｉｓｏｔｈｉｏａｔｅ）、イソキサチオン（ｉｓｏｘａｔｈｉｏｎ）、イベルメクチン（ｉｖｅｒｍｅｃｔｉｎ）、ジャスモリン  Ｉ（ｊａｓｍｏｌｉｎ  Ｉ）、ジャスモリン  ＩＩ、ジョドフェンフォス（ｊｏｄｆｅｎｐｈｏｓ）、幼若ホルモン  Ｉ、幼若ホルモン  ＩＩ、幼若ホルモン  ＩＩＩ、ケレバン（ｋｅｌｅｖａｎ）、キノプレン（ｋｉｎｏｐｒｅｎｅ）、ラムダシハロスリン、ヒ酸鉛、レピメクチン（ｌｅｐｉｍｅｃｔｉｎ）、レプトフォス（ｌｅｐｔｏｐｈｏｓ）、リンダン（ｌｉｎｄａｎｅ）、リリムフォス（ｌｉｒｉｍｆｏｓ）、ルフェヌロン（ｌｕｆｅｎｕｒｏｎ）、リチダチオン（ｌｙｔｈｉｄａｔｈｉｏｎ）、マラチオン（ｍａｌａｔｈｉｏｎ）、マロノベン（ｍａｌｏｎｏｂｅｎ）、マジドクス（ｍａｚｉｄｏｘ）、メカルバム（ｍｅｃａｒｂａｍ）、メカルフォン（ｍｅｃａｒｐｈｏｎ）、メナゾン（ｍｅｎａｚｏｎ）、メペルフルスリン（ｍｅｐｅｒｆｌｕｔｈｒｉｎ）、メフォスフォラン（ｍｅｐｈｏｓｆｏｌａｎ）、塩化第一水
銀、メスルフェンフォス（ｍｅｓｕｌｆｅｎｆｏｓ）、メタフルミゾン（ｍｅｔａｆｌｕｍｉｚｏｎｅ）、メタクリフォス（ｍｅｔｈａｃｒｉｆｏｓ）、メタミドフォス（ｍｅｔｈａｍｉｄｏｐｈｏｓ）、メチダチオン（ｍｅｔｈｉｄａｔｈｉｏｎ）、メチオカルブ（ｍｅｔｈｉｏｃａｒｂ）、メトクロトフォス（ｍｅｔｈｏｃｒｏｔｏｐｈｏｓ）、メトミル（ｍｅｔｈｏｍｙｌ）、メトプレン（ｍｅｔｈｏｐｒｅｎｅ）、メトスリン（ｍｅｔｈｏｔｈｒｉｎ）、メトキシクロル（ｍｅｔｈｏｘｙｃｈｌｏｒ）、メトキシフェノジド（ｍｅｔｈｏｘｙｆｅｎｏｚｉｄｅ）、臭化メチル、メチルイソチオシアナート、メチルクロロホルム、塩化メチレン、メトフルスリン（ｍｅｔｏｆｌｕｔｈｒｉｎ）、メトルカルブ（ｍｅｔｏｌｃａｒｂ）、メトキサジアゾン（ｍｅｔｏｘａｄｉａｚｏｎｅ）、メビンフォス（ｍｅｖｉｎｐｈｏｓ）、メキサカルベート（ｍｅｘａｃａｒｂａｔｅ）、ミルベメクチン（ｍｉｌｂｅｍｅｃｔｉｎ）、ミルベマイシンオキシム（ｍｉｌｂｅｍｙｃｉｎ  ｏｘｉｍｅ）、ミパフォクス（ｍｉｐａｆｏｘ）、ミレクス（ｍｉｒｅｘ）、モロスルタプ（ｍｏｌｏｓｕｌｔａｐ）、モノクロトフォス（ｍｏｎｏｃｒｏｔｏｐｈｏｓ）、モノメヒポ（ｍｏｎｏｍｅｈｙｐｏ）、モノスルタプ（ｍｏｎｏｓｕｌｔａｐ）、モルフォチオン（ｍｏｒｐｈｏｔｈｉｏｎ）、モキシデクチン（ｍｏｘｉｄｅｃｔｉｎ）、ナフタロフォス（ｎａｆｔａｌｏｆｏｓ）、ナレド（ｎａｌｅｄ）、ナフタレン、ニコチン、ニフルリジド（ｎｉｆｌｕｒｉｄｉｄｅ）、ニテンピラム（ｎｉｔｅｎｐｙｒａｍ）、ニチアジン（ｎｉｔｈｉａｚｉｎｅ）、ニツリラカルブ（ｎｉｔｒｉｌａｃａｒｂ）、ノバルロン（ｎｏｖａｌｕｒｏｎ）、ノビフルムロン（ｎｏｖｉｆｌｕｍｕｒｏｎ）、オメトエート（ｏｍｅｔｈｏａｔｅ）、オキサミル（ｏｘａｍｙｌ）、オキシデメトン−メチル（ｏｘｙｄｅｍｅｔｏｎ−ｍｅｔｈｙｌ）、オキシデプロフォス（ｏｘｙｄｅｐｒｏｆｏｓ）、オキシジスルフォトン（ｏｘｙｄｉｓｕｌｆｏｔｏｎ）、パラ−ジクロロベンゼン、パラチオン（ｐａｒａｔｈｉｏｎ）、パラチオン−メチル、ペンフルオロン（ｐｅｎｆｌｕｏｒｏｎ）、ペンタクロロフェノール、ペルメスリン（ｐｅｒｍｅｔｈｒｉｎ）、フェンカプトン（ｐｈｅｎｋａｐｔｏｎ）、フェノスリン（ｐｈｅｎｏｔｈｒｉｎ）、フェントエート（ｐｈｅｎｔｈｏａｔｅ）、フォレート（ｐｈｏｒａｔｅ）、フォサロン（ｐｈｏｓａｌｏｎｅ）、フォスフォラン（ｐｈｏｓｆｏｌａｎ）、フォスメト（ｐｈｏｓｍｅｔ）、フォスニクロル（ｐｈｏｓｎｉｃｈｌｏｒ）、フォスファミドン（ｐｈｏｓｐｈａｍｉｄｏｎ）、ホスフィン、フォキシム（ｐｈｏｘｉｍ）、フォキシム−メチル、ピリメタフォス（ｐｉｒｉｍｅｔａｐｈｏｓ）、ピリミカルブ（ｐｉｒｉｍｉｃａｒｂ）、ピリミフォス−エチル（ｐｉｒｉｍｉｐｈｏｓ  ｅｔｈｙｌ）、ピリミフォス−メチル、亜ヒ酸カリウム、カリウムチオシアナート、ｐｐ’−ＤＤＴ、プラレスリン（ｐｒａｌｌｅｔｈｒｉｎ）、プレコセン  Ｉ（ｐｒｅｃｏｃｅｎｅ  Ｉ）、プレコセン  ＩＩ、プレコセン  ＩＩＩ、プリミドフォス（ｐｒｉｍｉｄｏｐｈｏｓ）、プロフェノフォス（ｐｒｏｆｅｎｏｆｏｓ）、プロフルラリン（ｐｒｏｆｌｕｒａｌｉｎ）、プロフルスリン（ｐｒｏｆｌｕｔｈｒｉｎ）、プロマシル（ｐｒｏｍａｃｙｌ）、プロメカルブ（ｐｒｏｍｅｃａｒｂ）、プロパフォス（ｐｒｏｐａｐｈｏｓ）、プロペタムフォス（ｐｒｏｐｅｔａｍｐｈｏｓ）、プロポクスル（ｐｒｏｐｏｘｕｒ）、プロチダチオン（ｐｒｏｔｈｉｄａｔｈｉｏｎ）、プロチオフォス（ｐｒｏｔｈｉｏｆｏｓ）、プロトエート（ｐｒｏｔｈｏａｔｅ）、プロツリフェンブテ（ｐｒｏｔｒｉｆｅｎｂｕｔｅ）、ピメトロジン（ｐｙｍｅｔｒｏｚｉｎｅ）、ピラクロフォス（ｐｙｒａｃｌｏｆｏｓ）、ピラフルプロル（ｐｙｒａｆｌｕｐｒｏｌｅ）、ピラゾフォス（ｐｙｒａｚｏｐｈｏｓ）、ピレスメスリン（ｐｙｒｅｓｍｅｔｈｒｉｎ）、ピレスリン  Ｉ（ｐｙｒｅｔｈｒｉｎ  Ｉ）、ピレスリン  ＩＩ、ピレスリン類、ピリダベン（ｐｙｒｉｄａｂｅｎ）、ピリダリル（ｐｙｒｉｄａｌｙｌ）、ピリダフェンチオン（ｐｙｒｉｄａｐｈｅｎｔｈｉｏｎ）、ピリフルクイナゾン（ｐｙｒｉｆｌｕｑｕｉｎａｚｏｎ）、ピリミジフェン（ｐｙｒｉｍｉｄｉｆｅｎ）、ピリミテート（ｐｙｒｉｍｉｔａｔｅ）、ピリプロル（ｐｙｒｉｐｒｏｌｅ）、ピリプキシフェン（ｐｙｒｉｐｒｏｘｙｆｅｎ）、クアシア（ｑｕａｓｓｉａ）、クイナルフォス（ｑｕｉｎａｌｐｈｏｓ）、クイナルフォス−メチル、クイノチオン（ｑｕｉｎｏｔｈｉｏｎ）、ラフォキサニド（ｒａｆｏｘａｎｉｄｅ）、レスメスリン（ｒｅｓｍｅｔｈｒｉｎ）、ロテノン（ｒｏｔｅｎｏｎｅ）、リアニア（ｒｙａｎｉａ）、サバジラ（ｓａｂａｄｉｌｌａ）、シュラダン（ｓｃｈｒａｄａｎ）、セラメクチン（ｓｅｌａｍｅｃｔｉｎ）、シラフルオフェン（ｓｉｌａｆｌｕｏｆｅｎ）、シリカゲル、亜ヒ酸ナトリウム、フッ化ナトリウム、ヘキサフルオロケイ酸ナトリウム、ナトリウムチオシアナート、ソファミド（ｓｏｐｈａｍｉｄｅ）、スピネトラム（ｓｐｉｎｅｔｏｒａｍ）、スピノサド（ｓｐｉｎｏｓａｄ）、スピロメシフェン（ｓｐｉｒｏｍｅｓｉｆｅｎ）、スピロテトラマト（ｓｐｉｒｏｔｅｔｒａｍａｔ）、スルコフロン（ｓｕｌｃｏｆｕｒｏｎ）、スルコフロン−ナトリウム、スルフルラミド（ｓｕｌｆｌｕｒａｍｉｄ）、スルフォテプ（ｓｕｌｆｏｔｅｐ）、スルフォキサフロル（ｓｕｌｆｏｘａｆｌｏｒ）、フッ化スルフリル、スルプロフォス（ｓｕｌｐｒｏｆｏｓ）、タウ−フルバリネート（ｔａｕ−ｆｌｕｖａｌｉｎａｔｅ）、タジムカルブ（ｔａｚｉｍｃａｒｂ）、ＴＤＥ、テブフェノジド（ｔｅｂｕｆｅｎｏｚｉｄｅ）、テブフェンピラド（ｔｅｂｕｆｅｎｐｙｒａｄ）、テブピリムフォス（ｔｅｂｕｐｉｒｉｍｆｏｓ）、テフルベンズロン（ｔｅｆｌｕｂｅｎｚｕｒｏｎ）、テフルスリン（ｔｅｆｌｕｔｈｒｉｎ）、テメフォス（ｔｅｍｅｐｈｏｓ）、ＴＥＰＰ、テラレスリン（ｔｅｒａｌｌｅｔｈｒｉｎ）、テルプフォス（ｔｅｒｂｕｆｏｓ）、テトラクロロエタン、テトラクロルビンフォス（ｔｅｔｒａｃｈｌｏｒｖｉｎｐｈｏｓ）、テトラメスリン（ｔｅｔｒａｍｅｔｈｒｉｎ）、テトラメチルフルスリン（ｔｅｔｒａｍｅｔｈｙｌｆｌｕｔｈｒｉｎ）、テータ−シペルメスリン（ｔｈｅｔａ−ｃｙｐｅｒｍｅｔｈｒｉｎ）、チアクロプリド（ｔｈｉａｃｌｏｐｒｉｄ）、チアメトキサム（ｔｈｉａｍｅｔｈｏｘａｍ）、チクロフォス（ｔｈｉｃｒｏｆｏｓ）、チオカルボキシム（ｔｈｉｏｃａｒｂｏｘｉｍｅ）、チオシクラム（ｔｈｉｏｃｙｃｌａｍ）、チオシクラムオキザレート、チオジカルブ（ｔｈｉｏｄｉｃａｒｂ）、チオファノクス（ｔｈｉｏｆａｎｏｘ）、チオメトン（ｔｈｉｏｍｅｔｏｎ）、チオスルタプ（ｔｈｉｏｓｕｌｔａｐ）、チオスルタプ−ジナトリウム、チオスルタプ−モノナトリウム、ツリンギエンシン（ｔｈｕｒｉｎｇｉｅｎｓｉｎ）、トルフェンピラド（ｔｏｌｆｅｎｐｙｒａｄ）、トラロメスリン（ｔｒａｌｏｍｅｔｈｒｉｎ）、トランスフルスリン（ｔｒａｎｓｆｌｕｔｈｒｉｎ）、トランスペルメスリン（ｔｒａｎｓｐｅｒｍｅｔｈｒｉｎ）、トリアラテン（ｔｒｉａｒａｔｈｅｎｅ）、トリアザメート（ｔｒｉａｚａｍａｔｅ）、トリアゾフォス（ｔｒｉａｚｏｐｈｏｓ）、トリクロルフォン（ｔｒｉｃｈｌｏｒｆｏｎ）、トリクロルメタフォス−３（ｔｒｉｃｈｌｏｒｍｅｔａｐｈｏｓ−３）、トリクロロナト（ｔｒｉｃｈｌｏｒｏｎａｔ）、トリフェノフォス（ｔｒｉｆｅｎｏｆｏｓ）、トリフルムロン（ｔｒｉｆｌｕｍｕｒｏｎ）、トリメタカルブ（ｔｒｉｍｅｔｈａｃａｒｂ）、トリプレン（ｔｒｉｐｒｅｎｅ）、バミドチオン（ｖａｍｉｄｏｔｈｉｏｎ）、バニリプロル（ｖａｎｉｌｉｐｒｏｌｅ）、ＸＭＣ、キシリルカルブ（ｘｙｌｙｌｃａｒｂ）、ゼータ−シペルメスリン（ｚｅｔａ−ｃｙｐｅｒｍｅｔｈｒｉｎ）、ゾラプロフォス（ｚｏｌａｐｒｏｆｏｓ）及びそれらの混合物が含まれるが、これらに限られない。
【００１７】
除草剤は、植物を殺害するか、抑制するか又は他の方法でその成長を不利に変更する活性成分を意味する。本開示において用いられ得る除草剤の例には：４−ＣＰＡ、４−ＣＰＢ、４−ＣＰＰ、２，４−Ｄ、３，４−ＤＡ、２，４−ＤＢ、３，４−ＤＢ、２，４−ＤＥＢ、２，４−ＤＥＰ、３，４−ＤＰ、２，３，６−ＴＢＡ、２，４，５−Ｔ、２，４，５−ＴＢ、アセトクロル（ａｃｅｔｏｃｈｌｏｒ）、アシフルオルフェン（ａｃｉｆｌｕｏｒｆｅｎ）、アクロニフェン（ａｃｌｏｎｉｆｅｎ）、アクロレイン（ａｃｒｏｌｅｉｎ）、アラクロル（ａｌａｃｈｌｏｒ）、アリドクロル（ａｌｌｉｄｏｃｈｌｏｒ）、アロキシジム（ａｌｌｏｘｙｄｉｍ）、アリルアルコール、アロラク（ａｌｏｒａｃ）、アメツリジオン（ａｍｅｔｒｉｄｉｏｎｅ）、アメツリン（ａｍｅｔｒｙｎ）、アミブジン（ａｍｉｂｕｚｉｎ）、アミカルバゾン（ａｍｉｃａｒｂａｚｏｎｅ）、アミドスルフロン（ａｍｉｄｏｓｕｌｆｕｒｏｎ）、アミノシクロピラクロル（ａｍｉｎｏｃｙｃｌｏｐｙｒａｃｈｌｏｒ）、アミノピラリド（ａｍｉｎｏｐｙｒａｌｉｄ）、アミプロフォス−メチル（ａｍｉｐｒｏｆｏｓ−ｍｅｔｈｙｌ）、アミツロル（ａｍｉｔｒｏｌｅ）、スルファミン酸アンモニウム、アニロフォス（ａｎｉｌｏｆｏｓ）、アニスロン（ａｎｉｓｕｒｏｎ）、アスラム（ａｓｕｌａｍ）、アトラトン（ａｔｒａｔｏｎ）、アトラジン（ａｔｒａｚｉｎｅ）、アザフェニジン（ａｚａｆｅｎｉｄｉｎ）、アジムスルフロン（ａｚｉｍｓｕｌｆｕｒｏｎ）、アジプロツリン（ａｚｉｐｒｏｔｒｙｎｅ）、バルバン（ｂａｒｂａｎ）、ＢＣＰＣ、ベンフルブタミド（ｂｅｆｌｕｂｕｔａｍｉｄ）、ベナゾリン（ｂｅｎａｚｏｌｉｎ）、ベンカルバゾン（ｂｅｎｃａｒｂａｚｏｎｅ）、ベンフルラリン（ｂｅｎｆｌｕｒａｌｉｎ）、ベンフレセート（ｂｅｎｆｕｒｅｓａｔｅ）、ベンスルフロン（ｂｅｎｓｕｌｆｕｒｏｎ）、ベンスリド（ｂｅｎｓｕｌｉｄｅ）、ベンタゾン（ｂｅｎｔａｚｏｎｅ）、ベンザドクス（ｂｅｎｚａｄｏｘ）、ベンズフェンジゾン（ｂｅｎｚｆｅｎｄｉｚｏｎｅ）、ベンジプラム（ｂｅｎｚｉｐｒａｍ）、ベンゾビシクロン（ｂｅｎｚｏｂｉｃｙｃｌｏｎ）、ベンゾフェナプ（ｂｅｎｚｏｆｅｎａｐ）、ベンゾフルオル（ｂｅｎｚｏｆｌｕｏｒ）、ベンゾイルプロプ（ｂｅｎｚｏｙｌｐｒｏｐ）、ベンズチアズロン（ｂｅｎｚｔｈｉａｚｕｒｏｎ）、ビシクロピロン（ｂｉｃｙｃｌｏｐｙｒｏｎｅ）、ビフェノクス（ｂｉｆｅｎｏｘ）、ビラナフォス（ｂｉｌａｎａｆｏｓ）、ビスピリバク（ｂｉｓｐｙｒｉｂａｃ）、ボラクス（ｂｏｒａｘ）、ブロマシル（ｂｒｏｍａｃｉｌ）、ブロモボニル（ｂｒｏｍｏｂｏｎｉｌ）、ブロモブチド（ｂｒｏｍｏｂｕｔｉｄｅ）、ブロモフェノキシム（ｂｒｏｍｏｆｅｎｏｘｉｍ）、ブロモキシニル（ｂｒｏｍｏｘｙｎｉｌ）、ブロムピラゾン（ｂｒｏｍｐｙｒａｚｏｎ）、ブタクロル（ｂｕｔａｃｈｌｏｒ）、ブタフェナシル（ｂｕｔａｆｅｎａｃｉｌ）、ブタミフォス（ｂｕｔａｍｉｆｏｓ）、ブテナクロル（ｂｕｔｅｎａｃｈｌｏｒ）、ブチダゾール（ｂｕｔｈｉｄａｚｏｌｅ）、ブチウロン（ｂｕｔｈｉｕｒｏｎ）、ブトラリン（ｂｕｔｒａｌｉｎ）、ブトロキシジム（ｂｕｔｒｏｘｙｄｉｍ）、ブツロン（ｂｕｔｕｒｏｎ）、ブチレート（ｂｕｔｙｌａｔｅ）、カコジル酸、カフェンストロール（ｃａｆｅｎｓｔｒｏｌｅ）、塩素酸カルシウム、カルシウムシアナミド、カムベンジクロル（ｃａｍｂｅｎｄｉｃｈｌｏｒ）、カルバスラム（ｃａｒｂａｓｕｌａｍ）、カルベタミド（ｃａｒｂｅｔａｍｉｄｅ）、カルボキサゾール（ｃａｒｂｏｘａｚｏｌｅ）、クロルプロカルブ（ｃｈｌｏｒｐｒｏｃａｒｂ）、カルフェントラゾン（ｃａｒｆｅｎｔｒａｚｏｎｅ）、ＣＤＥＡ、ＣＥＰＣ、クロメトキシフェン（ｃｈｌｏｍｅｔｈｏｘｙｆｅｎ）、クロラムベン（ｃｈｌｏｒａｍｂｅｎ）、クロラノクリル（ｃｈｌｏｒａｎｏｃｒｙｌ）、クロラジフォプ（ｃｈｌｏｒａｚｉｆｏｐ）、クロラジン（ｃｈｌｏｒａｚｉｎｅ）、クロルブロムロン（ｃｈｌｏｒｂｒｏｍｕｒｏｎ）、クロルブファム（ｃｈｌｏｒｂｕｆａｍ）、クロレツロン（ｃｈｌｏｒｅｔｕｒｏｎ）、クロルフェナク（ｃｈｌｏｒｆｅｎａｃ）、クロルフェンプロプ（ｃｈｌｏｒｆｅｎｐｒｏｐ）、クロルフルラゾール（ｃｈｌｏｒｆｌｕｒａｚｏｌｅ）、クロルフルレノル（ｃｈｌｏｒｆｌｕｒｅｎｏｌ）、クロリダゾン（ｃｈｌｏｒｉｄａｚｏｎ）、クロリムロン（ｃｈｌｏｒｉｍｕｒｏｎ）、クロルニトロフェン（ｃｈｌｏｒｎｉｔｒｏｆｅｎ）、クロロポン（ｃｈｌｏｒｏｐｏｎ）、クロロトルロン（ｃｈｌｏｒｏｔｏｌｕｒｏｎ）、クロロクスロン（ｃｈｌｏｒｏｘｕｒｏｎ）、クロロキシニル（ｃｈｌｏｒｏｘｙｎｉｌ）、クロルプロファム（ｃｈｌｏｒｐｒｏｐｈａｍ）、クロルスルフロン（ｃｈｌｏｒｓｕｌｆｕｒｏｎ）、クロルタル（ｃｈｌｏｒｔｈａｌ）、クロルチアミド（ｃｈｌｏｒｔｈｉａｍｉｄ）、シニドン−エチル（ｃｉｎｉｄｏｎ−ｅｔｈｙｌ）、シンメチリン（ｃｉｎｍｅｔｈｙｌｉｎ）、シノスルフロン（ｃｉｎｏｓｕｌｆｕｒｏｎ）、シスアニリド（ｃｉｓａｎｉｌｉｄｅ）、クレトジム（ｃｌｅｔｈｏｄｉｍ）、クリオジネート（ｃｌｉｏｄｉｎａｔｅ）、クロジナフォプ（ｃｌｏｄｉｎａｆｏｐ）、クロフォプ（ｃｌｏｆｏｐ）、クロマゾン（ｃｌｏｍａｚｏｎｅ）、クロメプロプ（ｃｌｏｍｅｐｒｏｐ）、クロプロプ（ｃｌｏｐｒｏｐ）、クロプロキシジム（ｃｌｏｐｒｏｘｙｄｉｍ）、クロピラリド（ｃｌｏｐｙｒａｌｉｄ）、クロランスラム（ｃｌｏｒａｎｓｕｌａｍ）、ＣＭＡ、硫酸銅、ＣＰＭＦ、ＣＰＰＣ、クレダジン（ｃｒｅｄａｚｉｎｅ）、クレゾール、クミルロン（ｃｕｍｙｌｕｒｏｎ）、シアナツリン（ｃｙａｎａｔｒｙｎ）、シアナジン（ｃｙａｎａｚｉｎｅ）、シクロエート（ｃｙｃｌｏａｔｅ）、シクロスルファムロン（ｃｙｃｌｏｓｕｌｆａｍｕｒｏｎ）、シクロキシジム（ｃｙｃｌｏｘｙｄｉｍ）、シクルロン（ｃｙｃｌｕｒｏｎ）、シハロフォプ（ｃｙｈａｌｏｆｏｐ）、シペルクアト（ｃｙｐｅｒｑｕａｔ）、シプラジン（ｃｙｐｒａｚｉｎｅ）、シプラゾール（ｃｙｐｒａｚｏｌｅ）、シプロミド（ｃｙｐｒｏｍｉｄ）、ダイムロン（ｄａｉｍｕｒｏｎ）、ダラポン（ｄａｌａｐｏｎ）、ダゾメト（ｄａｚｏｍｅｔ）、デラクロル（ｄｅｌａｃｈｌｏｒ）、デスメジファム（ｄｅｓｍｅｄｉｐｈａｍ）、デスメツリン（ｄｅｓｍｅｔｒｙｎ）、ジアレート（ｄｉａｌｌａｔｅ）、ジカムバ（ｄｉｃａｍｂａ）、ジクロベニル（ｄｉｃｈｌｏｂｅｎｉｌ）、ジクロラルレア（ｄｉｃｈｌｏｒａｌｕｒｅａ）、ジクロルメート（ｄｉｃｈｌｏｒｍａｔｅ）、ジクロルプロプ（ｄｉｃｈｌｏｒｐｒｏｐ）、ジクロルプロプ−Ｐ、ジクロフォプ（ｄｉｃｌｏｆｏｐ）、ジクロスラム（ｄｉｃｌｏｓｕｌａｍ）、ジエタムクアト（ｄｉｅｔｈａｍｑｕａｔ）、ジエタチル（ｄｉｅｔｈａｔｙｌ）、ジフェノペンテン（ｄｉｆｅｎｏｐｅｎｔｅｎ）、ジフェノクスロン（ｄｉｆｅｎｏｘｕｒｏｎ）、ジフェンゾクアト（ｄｉｆｅｎｚｏｑｕａｔ）、ジフルフェニカン（ｄｉｆｌｕｆｅｎｉｃａｎ）、ジフルフェンゾピル（ｄｉｆｌｕｆｅｎｚｏｐｙｒ）、ジメフロン（ｄｉｍｅｆｕｒｏｎ）、ジメピペレート（ｄｉｍｅｐｉｐｅｒａｔｅ）、ジメタクロル（ｄｉｍｅｔｈａｃｈｌｏｒ）、ジメタメツリン（ｄｉｍｅｔｈａｍｅｔｒｙｎ）、ジメテナミド（ｄｉｍｅｔｈｅｎａｍｉｄ）、ジメテナミド−Ｐ、ジメキサノ（ｄｉｍｅｘａｎｏ）、ジミダゾン（ｄｉｍｉｄａｚｏｎ）、ジニトラミン（ｄｉｎｉｔｒａｍｉｎｅ）、ジノフェネート（ｄｉｎｏｆｅｎａｔｅ）、ジノプロプ（ｄｉｎｏｐｒｏｐ）、ジノサム（ｄｉｎｏｓａｍ）、ジノセブ（ｄｉｎｏｓｅｂ）、ジノテルブ（ｄｉｎｏｔｅｒｂ）、ジフェナミド（ｄｉｐｈｅｎａｍｉｄ）、ジプロペツリン（ｄｉｐｒｏｐｅｔｒｙｎ）、ジクアト（ｄｉｑｕａｔ）、ジスル（ｄｉｓｕｌ）、ジチオピル（ｄｉｔｈｉｏｐｙｒ）、ジウロン（ｄｉｕｒｏｎ）、ＤＭＰＡ、ＤＮＯＣ、ＤＳＭＡ、ＥＢＥＰ、エグリナジン（ｅｇｌｉｎａｚｉｎｅ）、エンドタル（ｅｎｄｏｔｈａｌ）、エプロナツ（ｅｐｒｏｎａｚ）、ＥＰＴＣ、エルボン（ｅｒｂｏｎ）、エスプロカルブ（ｅｓｐｒｏｃａｒｂ）、エタルフルラリン（ｅｔｈａｌｆｌｕｒａｌｉｎ）、エタメツスルフロン（ｅｔｈａｍｅｔｓｕｌｆｕｒｏｎ）、エチジムロン（ｅｔｈｉｄｉｍｕｒｏｎ）、エチオレート（ｅｔｈｉｏｌａｔｅ）、エトフメセート（ｅｔｈｏｆｕｍｅｓａｔｅ）、エトキシフェン（ｅｔｈｏｘｙｆｅｎ）、エトキシスルフロン（ｅｔｈｏｘｙｓｕｌｆｕｒｏｎ）、エチノフェン（ｅｔｉｎｏｆｅｎ）、エトニプロミド（ｅｔｎｉｐｒｏｍｉｄ）、エトベンザニド（ｅｔｏｂｅｎｚａｎｉｄ）、ＥＸＤ、フェナスラム（ｆｅｎａｓｕｌａｍ）、フェノプロプ（ｆｅｎｏｐｒｏｐ）、フェノキサプロプ（ｆｅｎｏｘａｐｒｏｐ）、フェノキサプロプ−Ｐ、フェノキサスルフォン（ｆｅｎｏｘａｓｕｌｆｏｎｅ）、フェンテラコル（ｆｅｎｔｅｒａｃｏｌ）、フェンチアプロプ（ｆｅｎｔｈｉａｐｒｏｐ）、フェントラザミド（ｆｅｎｔｒａｚａｍｉｄｅ）、フェヌロン（ｆｅｎｕｒｏｎ）、硫酸第一鉄、フラムプロプ（ｆｌａｍｐｒｏｐ）、フラムプロプ−Ｍ、フラザスルフロン（ｆｌａｚａｓｕｌｆｕｒｏｎ）、フロラスラム（ｆｌｏｒａｓｕｌａｍ）、フルアジフォプ（ｆｌｕａｚｉｆｏｐ）、フルアジフォプ−Ｐ、フルアゾレート（ｆｌｕａｚｏｌａｔｅ）、フルカルバゾン（ｆｌｕｃａｒｂａｚｏｎｅ）、フルセトスルフロン（ｆｌｕｃｅｔｏｓｕｌｆｕｒｏｎ）、フルクロラリン（ｆｌｕｃｈｌｏｒａｌｉｎ）、フルフェナセト（ｆｌｕｆｅｎａｃｅｔ）、フルフェニカン（ｆｌｕｆｅｎｉｃａｎ）、フルフェンピル（ｆｌｕｆｅｎｐｙｒ）、フルメツラム（ｆｌｕｍｅｔｓｕｌａｍ）、フルメジン（ｆｌｕｍｅｚｉｎ）、フルミクロラク（ｆｌｕｍｉｃｌｏｒａｃ）、フルミオキサジン（ｆｌｕｍｉｏｘａｚｉｎ）、フルミプロピン（ｆｌｕｍｉｐｒｏｐｙｎ）、フルオメツロン（ｆｌｕｏｍｅｔｕｒｏｎ）、フルオロジフェン（ｆｌｕｏｒｏｄｉｆｅｎ）、フルオログリコフェン（ｆｌｕｏｒｏｇｌｙｃｏｆｅｎ）、フルオロミジン（ｆｌｕｏｒｏｍｉｄｉｎｅ）、フルオロニトロフェン（ｆｌｕｏｒｏｎｉｔｒｏｆｅｎ）、フルオチウロン（ｆｌｕｏｔｈｉｕｒｏｎ）、フルポキサム（ｆｌｕｐｏｘａｍ）、フルプロパシル（ｆｌｕｐｒｏｐａｃｉｌ）、フルプロパネート（ｆｌｕｐｒｏｐａｎａｔｅ）、フルピルスルフロン（ｆｌｕｐｙｒｓｕｌｆｕｒｏｎ）、フルリドン（ｆｌｕｒｉｄｏｎｅ）、フルオロクロリドン（ｆｌｕｏｒｏｃｈｌｏｒｉｄｏｎｅ）、フルオロキシピル（ｆｌｕｏｒｏｘｙｐｙｒ）、フルルタモン（ｆｌｕｒｔａｍｏｎｅ）、フルチアセト（ｆｌｕｔｈｉａｃｅｔ）、フォメサフェン（ｆｏｍｅｓａｆｅｎ）、フォラムスルフロン（ｆｏｒａｍｓｕｌｆｕｒｏｎ）、フォサミン（ｆｏｓａｍｉｎｅ）、フリルオキシフェン（ｆｕｒｙｌｏｘｙｆｅｎ）、グルフォシネート（ｇｌｕｆｏｓｉｎａｔｅ）、グルフォシネート−Ｐ、グリフォセート（ｇｌｙｐｈｏｓａｔｅ）、ハロサフェン（ｈａｌｏｓａｆｅｎ）、ハロスルフロン（ｈａｌｏｓｕｌｆｕｒｏｎ）、ハロキシジン（ｈａｌｏｘｙｄｉｎｅ）、ハロキシフォプ（ｈａｌｏｘｙｆｏｐ）、ハロキシフォプ−Ｐ、ヘキサクロロアセトン、ヘキサフルレート（ｈｅｘａｆｌｕｒａｔｅ）、ヘキサジノン（ｈｅｘａｚｉｎｏｎｅ）、イマザメタベンズ（ｉｍａｚａｍｅｔｈａｂｅｎｚ）、イマザモクス（ｉｍａｚａｍｏｘ）、イマザピク（ｉｍａｚａｐｉｃ）、イマザピル（ｉｍａｚａｐｙｒ）、イマザクイン（ｉｍａｚａｑｕｉｎ）、イマゼタピル（ｉｍａｚｅｔｈａｐｙｒ）、イマゾスルフロン（ｉｍａｚｏｓｕｌｆｕｒｏｎ）、インダノファン（ｉｎｄａｎｏｆａｎ）、インダジフラム（ｉｎｄａｚｉｆｌａｍ）、ヨードボニル（ｉｏｄｏｂｏｎｉｌ）、ヨードメタン、ヨードスルフロン（ｉｏｄｏｓｕｌｆｕｒｏｎ）、イオキシニル（ｉｏｘｙｎｉｌ）、イパジン（ｉｐａｚｉｎｅ）、イプフェンカルバゾン（ｉｐｆｅｎｃａｒｂａｚｏｎｅ）、イプ
リミダム（ｉｐｒｙｍｉｄａｍ）、イソカルバミド（ｉｓｏｃａｒｂａｍｉｄ）、イソシル（ｉｓｏｃｉｌ）、イソメチオジン（ｉｓｏｍｅｔｈｉｏｚｉｎ）、イソノルロン（ｉｓｏｎｏｒｕｒｏｎ）、イソポリネート（ｉｓｏｐｏｌｉｎａｔｅ）、イソプロパリン（ｉｓｏｐｒｏｐａｌｉｎ）、イソプロツロン（ｉｓｏｐｒｏｔｕｒｏｎ）、イソウロン（ｉｓｏｕｒｏｎ）、イソキサベン（ｉｓｏｘａｂｅｎ）、イソキサクロルトレ（ｉｓｏｘａｃｈｌｏｒｔｏｌｅ）、イソキサフルトレ（ｉｓｏｘａｆｌｕｔｏｌｅ）、イソキサピリフォプ（ｉｓｏｘａｐｙｒｉｆｏｐ）、カルブチレート（ｋａｒｂｕｔｉｌａｔｅ）、ケトスピラドクス（ｋｅｔｏｓｐｉｒａｄｏｘ）、ラクトフェン（ｌａｃｔｏｆｅｎ）、レナシル（ｌｅｎａｃｉｌ）、リヌロン（ｌｉｎｕｒｏｎ）、ＭＡＡ、ＭＡＭＡ、ＭＣＰＡ、ＭＣＰＡ−チオエチル、ＭＣＰＢ、メコプロプ（ｍｅｃｏｐｒｏｐ）、メコプロプ−Ｐ、メジノテルブ（ｍｅｄｉｎｏｔｅｒｂ）、メフェナセト（ｍｅｆｅｎａｃｅｔ）、メフルイシド（ｍｅｆｌｕｉｄｉｄｅ）、メソプラジン（ｍｅｓｏｐｒａｚｉｎｅ）、メソスルフロン（ｍｅｓｏｓｕｌｆｕｒｏｎ）、メソツリオン（ｍｅｓｏｔｒｉｏｎｅ）、メタム（ｍｅｔａｍ）、メタミフォプ（ｍｅｔａｍｉｆｏｐ）、メタミツロン（ｍｅｔａｍｉｔｒｏｎ）、メタザクロル（ｍｅｔａｚａｃｈｌｏｒ）、メタゾスルフロン（ｍｅｔａｚｏｓｕｌｆｕｒｏｎ）、メツフルラゾン（ｍｅｔｆｌｕｒａｚｏｎ）、メタベンズチアズロン（ｍｅｔｈａｂｅｎｚｔｈｉａｚｕｒｏｎ）、メタルプロパリン（ｍｅｔｈａｌｐｒｏｐａｌｉｎ）、メタゾール（ｍｅｔｈａｚｏｌｅ）、メチオベンカルブ（ｍｅｔｈｉｏｂｅｎｃａｒｂ）、メチオゾリン（ｍｅｔｈｉｏｚｏｌｉｎ）、メチウロン（ｍｅｔｈｉｕｒｏｎ）、メトメトン（ｍｅｔｈｏｍｅｔｏｎ）、メトプロツリン（ｍｅｔｈｏｐｒｏｔｒｙｎｅ）、臭化メチル、メチルイソチオシアナート、メチルジムロン（ｍｅｔｈｙｌｄｙｍｒｏｎ）、メトベンズロン（ｍｅｔｏｂｅｎｚｕｒｏｎ）、メトブロムロン（ｍｅｔｏｂｒｏｍｕｒｏｎ）、メトラクロル（ｍｅｔｏｌａｃｈｌｏｒ）、メトスラム（ｍｅｔｏｓｕｌａｍ）、メトクスロン（ｍｅｔｏｘｕｒｏｎ）、メツリブジン（ｍｅｔｒｉｂｕｚｉｎ）、メツスルフロン（ｍｅｔｓｕｌｆｕｒｏｎ）、モリネート（ｍｏｌｉｎａｔｅ）、モナリド（ｍｏｎａｌｉｄｅ）、モニソウロン（ｍｏｎｉｓｏｕｒｏｎ）、モノクロロ酢酸、モノリヌロン（ｍｏｎｏｌｉｎｕｒｏｎ）、モヌロン（ｍｏｎｕｒｏｎ）、モルファムクアト（ｍｏｒｆａｍｑｕａｔ）、ＭＳＭＡ、ナプロアニリド（ｎａｐｒｏａｎｉｌｉｄｅ）、ナプロアミド（ｎａｐｒｏｐａｍｉｄｅ）、ナプタラム（ｎａｐｔａｌａｍ）、ネブロン（ｎｅｂｕｒｏｎ）、ニコスルフロン（ｎｉｃｏｓｕｌｆｕｒｏｎ）、ニピラクロフェン（ｎｉｐｙｒａｃｌｏｆｅｎ）、ニトラリン（ｎｉｔｒａｌｉｎ）、ニトロフェン（ｎｉｔｒｏｆｅｎ）、ニトロフルオルフェン（ｎｉｔｒｏｆｌｕｏｒｆｅｎ）、ノルフルラゾン（ｎｏｒｆｌｕｒａｚｏｎ）、ノルロン（ｎｏｒｕｒｏｎ）、ＯＣＨ、オルベンカルブ（ｏｒｂｅｎｃａｒｂ）、オルトジクロロベンゼン、オルトスルファムロン（ｏｒｔｈｏｓｕｌｆａｍｕｒｏｎ）、オリザリン（ｏｒｙｚａｌｉｎ）、オキサジアルギル（ｏｘａｄｉａｒｇｙｌ）、オキサジアゾン（ｏｘａｄｉａｚｏｎ）、オキサピラゾン（ｏｘａｐｙｒａｚｏｎ）、オキサスルフロン（ｏｘａｓｕｌｆｕｒｏｎ）、オキサジクロメフォン（ｏｘａｚｉｃｌｏｍｅｆｏｎｅ）、オキシフルオルフェン（ｏｘｙｆｌｕｏｒｆｅｎ）、パラフルオロン（ｐａｒａｆｌｕｏｒｏｎ）、パラクアト（ｐａｒａｑｕａｔ）、ペブレート（ｐｅｂｕｌａｔｅ）、ペラルゴン酸、ペンジメタリン（ｐｅｎｄｉｍｅｔｈａｌｉｎ）、ペノクスラム（ｐｅｎｏｘｓｕｌａｍ）、ペンタクロロフェノール、ペンタノクロル（ｐｅｎｔａｎｏｃｈｌｏｒ）、ペントキサゾン（ｐｅｎｔｏｘａｚｏｎｅ）、ペルフルイドン（ｐｅｒｆｌｕｉｄｏｎｅ）、ペトキサミド（ｐｅｔｈｏｘａｍｉｄ）、フェニソファム（ｐｈｅｎｉｓｏｐｈａｍ）、フェンメジファム（ｐｈｅｎｍｅｄｉｐｈａｍ）、フェンメジファム−エチル、フェノベンズロン（ｐｈｅｎｏｂｅｎｚｕｒｏｎ）、フェニル水銀アセテート、ピクロラム（ｐｉｃｌｏｒａｍ）、ピコリナフェン（ｐｉｃｏｌｉｎａｆｅｎ）、ピノキサデン（ｐｉｎｏｘａｄｅｎ）、ヒペロフォス（ｐｉｐｅｒｏｐｈｏｓ）、亜ヒ酸カリウム、カリウムアジド、カリウムシアナート、プロチラクロル（ｐｒｅｔｉｌａｃｈｌｏｒ）、プリミスルフロン（ｐｒｉｍｉｓｕｌｆｕｒｏｎ）、プロシアジン（ｐｒｏｃｙａｚｉｎｅ）、プロジアミン（ｐｒｏｄｉａｍｉｎｅ）、プロフルアゾル（ｐｒｏｆｌｕａｚｏｌ）、プロフルラリン（ｐｒｏｆｌｕｒａｌｉｎ）、プロフォキシジム（ｐｒｏｆｏｘｙｄｉｍ）、プログリナジン（ｐｒｏｇｌｉｎａｚｉｎｅ）、プロメトン（ｐｒｏｍｅｔｏｎ）、プロメツリン（ｐｒｏｍｅｔｒｙｎ）、プロパクロル（ｐｒｏｐａｃｈｌｏｒ）、プロパニル（ｐｒｏｐａｎｉｌ）、プロパクイザフォプ（ｐｒｏｐａｑｕｉｚａｆｏｐ）、プロパジン（ｐｒｏｐａｚｉｎｅ）、プロファム（ｐｒｏｐｈａｍ）、プロピソクロル（ｐｒｏｐｉｓｏｃｈｌｏｒ）、プロポキシカルバゾン（ｐｒｏｐｏｘｙｃａｒｂａｚｏｎｅ）、プロピリスルフロン（ｐｒｏｐｙｒｉｓｕｌｆｕｒｏｎ）、プロピザミド（ｐｒｏｐｙｚａｍｉｄｅ）、プロスルファリン（ｐｒｏｓｕｌｆａｌｉｎ）、プロスルフォカルブ（ｐｒｏｓｕｌｆｏｃａｒｂ）、プロスルフロン（ｐｒｏｓｕｌｆｕｒｏｎ）、プロキサン（ｐｒｏｘａｎ）、プリナクロル（ｐｒｙｎａｃｈｌｏｒ）、ピダノン（ｐｙｄａｎｏｎ）、ピラクロニル（ｐｙｒａｃｌｏｎｉｌ）、ピラフルフェン（ｐｙｒａｆｌｕｆｅｎ）、ピラスルフォトレ（ｐｙｒａｓｕｌｆｏｔｏｌｅ）、ピラゾリネート（ｐｙｒａｚｏｌｙｎａｔｅ）、ピラゾスルフロン（ｐｙｒａｚｏｓｕｌｆｕｒｏｎ）、ピラゾキシフェン（ｐｙｒａｚｏｘｙｆｅｎ）、ピリベンゾキシム（ｐｙｒｉｂｅｎｚｏｘｉｍ）、ピリブチカルブ（ｐｙｒｉｂｕｔｉｃａｒｂ）、ピリクロル（ｐｙｒｉｃｌｏｒ）、ピリダフォル（ｐｙｒｉｄａｆｏｌ）、ピリデート（ｐｙｒｉｄａｔｅ）、ピリフタリド（ｐｙｒｉｆｔａｌｉｄ）、ピリミノバク（ｐｙｒｉｍｉｎｏｂａｃ）、ピリミスルファン（ｐｙｒｉｍｉｓｕｌｆａｎ）、ピリチオバク（ｐｙｒｉｔｈｉｏｂａｃ）、ピロキサスルフォン（ｐｙｒｏｘａｓｕｌｆｏｎｅ）、ピロクスラム（ｐｙｒｏｘｓｕｌａｍ）、クインクロラク（ｑｕｉｎｃｌｏｒａｃ）、クインメラク（ｑｕｉｎｍｅｒａｃ）、クイノクラミン（ｑｕｉｎｏｃｌａｍｉｎｅ）、クイノナミド（ｑｕｉｎｏｎａｍｉｄ）、クイザロフォプ（ｑｕｉｚａｌｏｆｏｐ）、クイザロフォプ−Ｐ、ローデタニル（ｒｈｏｄｅｔｈａｎｉｌ）、リムスルフロン（ｒｉｍｓｕｌｆｕｒｏｎ）、サフルフェナシル（ｓａｆｌｕｆｅｎａｃｉｌ）、Ｓ−メトラクロル（Ｓ−ｍｅｔｏｌａｃｈｌｏｒ）、セブチラジン（ｓｅｂｕｔｈｙｌａｚｉｎｅ）、セクブメトン（ｓｅｃｂｕｍｅｔｏｎ）、セトキシジム（ｓｅｔｈｏｘｙｄｉｍ）、シズロン（ｓｉｄｕｒｏｎ）、シマジン（ｓｉｍａｚｉｎｅ）、シメトン（ｓｉｍｅｔｏｎ）、シメツリン（ｓｉｍｅｔｒｙｎ）、ＳＭＡ、亜ヒ酸ナトリウム、ナトリウムアジド、塩素酸ナトリウム、スルコツリオン（ｓｕｌｃｏｔｒｉｏｎｅ）、スルファレート（ｓｕｌｆａｌｌａｔｅ）、スルフェントラゾン（ｓｕｌｆｅｎｔｒａｚｏｎｅ）、スルフォメツロン（ｓｕｌｆｏｍｅｔｕｒｏｎ）、スルフォスルフロン（ｓｕｌｆｏｓｕｌｆｕｒｏｎ）、硫酸、スルグリカピン（ｓｕｌｇｌｙｃａｐｉｎ）、スウェプ（ｓｗｅｐ）、ＴＣＡ，テブタム（ｔｅｂｕｔａｍ）、テブチウロン（ｔｅｂｕｔｈｉｕｒｏｎ）、テフリルツリオン（ｔｅｆｕｒｙｌｔｒｉｏｎｅ）、テムボツリオン（ｔｅｍｂｏｔｒｉｏｎｅ）、テプラロキシジム（ｔｅｐｒａｌｏｘｙｄｉｍ）、テルバシル（ｔｅｒｂａｃｉｌ）、テルブカルブ（ｔｅｒｂｕｃａｒｂ）、テルブクロル（ｔｅｒｂｕｃｈｌｏｒ）、テルブメトン（ｔｅｒｂｕｍｅｔｏｎ）、テルブチラジン（ｔｅｒｂｕｔｈｙｌａｚｉｎｅ）、テルブツリン（ｔｅｒｂｕｔｒｙｎ）、テトラフルオロン（ｔｅｔｒａｆｌｕｏｒｏｎ）、テニルクロル（ｔｈｅｎｙｌｃｈｌｏｒ）、チアザフルオロン（ｔｈｉａｚａｆｌｕｏｒｏｎ）、チアゾピル（ｔｈｉａｚｏｐｙｒ）、チジアジミン（ｔｈｉｄｉａｚｉｍｉｎ）、チジアズロン（ｔｈｉｄｉａｚｕｒｏｎ）、チエンカルバゾン−メチル（ｔｈｉｅｎｃａｒｂａｚｏｎｅ−ｍｅｔｈｙｌ）、チフェンスルフロン（ｔｈｉｆｅｎｓｕｌｆｕｒｏｎ）、チオベンカルブ（ｔｈｉｏｂｅｎｃａｒｂ）、チオカルバジル（ｔｉｏｃａｒｂａｚｉｌ）、チオクロリム（ｔｉｏｃｌｏｒｉｍ）、トプラメゾン（ｔｏｐｒａｍｅｚｏｎｅ）、トラルコキシジム（ｔｒａｌｋｏｘｙｄｉｍ）、トリ−アレート（ｔｒｉ−ａｌｌａｔｅ）、トリアスルフロン（ｔｒｉａｓｕｌｆｕｒｏｎ）、トリアジフラム（ｔｒｉａｚｉｆｌａｍ）、トリベヌロン（ｔｒｉｂｅｎｕｒｏｎ）、トリカムバ（ｔｒｉｃａｍｂａ）、トリクロピル（ｔｒｉｃｌｏｐｙｒ）、トリジファン（ｔｒｉｄｉｐｈａｎｅ）、トリエタジン（ｔｒｉｅｔａｚｉｎｅ）、トリフロキシスルフロン（ｔｒｉｆｌｏｘｙｓｕｌｆｕｒｏｎ）、トリフルラリン（ｔｒｉｆｌｕｒａｌｉｎ）、トリフルスルフロン（ｔｒｉｆｌｕｓｕｌｆｕｒｏｎ）、トリフォプ（ｔｒｉｆｏｐ）、トリフォプシム（ｔｒｉｆｏｐｓｉｍｅ）、トリヒドロキシトリアジン、トリメツロン（ｔｒｉｍｅｔｕｒｏｎ）、トリプロピンダン（ｔｒｉｐｒｏｐｉｎｄａｎ）、トリタクトリトスルフロン（ｔｒｉｔａｃ  ｔｒｉｔｏｓｕｌｆｕｒｏｎ）、ベルノレート（ｖｅｒｎｏｌａｔｅ）、キシラクロル（ｘｙｌａｃｈｌｏｒ）及びそれらの混合物が含まれるが、これらに限られない。
【００１８】
毒性緩和剤は、作物をそれらの損傷に対して保護するために除草剤と一緒に適用される活性成分を意味する。本開示において用いられ得る毒性緩和剤のいくつかには：ベノキサコール（ｂｅｎｏｘａｃｏｒ）、ベンチオカルブ（ｂｅｎｔｈｉｏｃａｒｂ）、ブラシノリド（ｂｒａｓｓｉｎｏｌｉｄｅ）、クロクイントセト（ｃｌｏｑｕｉｎｔｏｃｅｔ）（メキシル（ｍｅｘｙｌ））、シオメツリニル（ｃｙｏｍｅｔｒｉｎｉｌ）、ダイムロン（ｄａｉｍｕｒｏｎ）、ジクロルミド（ｄｉｃｈｌｏｒｍｉｄ）、ジシクロノン（ｄｉｃｙｃｌｏｎｏｎ）、ジメピペレート（ｄｉｍｅｐｉｐｅｒａｔｅ）、ジスルフォトン（ｄｉｓｕｌｆｏｔｏｎ）、フェンクロラゾール−エチル（ｆｅｎｃｈｌｏｒａｚｏｌｅ−ｅｔｈｙｌ）、フェンクロリム（ｆｅｎｃｌｏｒｉｍ）、フルラゾール（ｆｌｕｒａｚｏｌｅ）、フルキソフェニム（ｆｌｕｘｏｆｅｎｉｍ）、フリラゾール（ｆｕｒｉｌａｚｏｌｅ）、イソキサジフェン−エチル（ｉｓｏｘａｄｉｆｅｎ−ｅｔｈｙｌ）、メフェンピル−ジエチル（ｍｅｆｅｎｐｙｒ−ｄｉｅｔｈｙｌ）、ＭＧ  １９１、ＭＯＮ  ４６６０、無水ナフタレン酸（ＮＡ）、オキサベツリニル（ｏｘａｂｅｔｒｉｎｉｌ）、Ｒ２９１４８、Ｎ−フェニルスルホニル安息香酸アミド及びそれらの混合物が含まれるが、それらに限られない。
【００１９】
殺線虫剤は、農業に関連する線虫により引き起こされる損害の減少のように、農業に関連する線虫に効果を有する活性成分を意味する。本開示において用いられ得る殺線虫剤の例には：アベルメクチン（ａｖｅｒｍｅｃｔｉｎ）（例えばアバメクチン（ａｂａｍｅｃｔｉｎ））、カルバメート殺線虫剤（例えばアルジカルブ（ａｌｄｉｃａｒｂ）、チアジカルブ（ｔｈｉａｄｉｃａｒｂ）、カルボフラン（ｃａｒｂｏｆｕｒａｎ）、カルボスルファン（ｃａｒｂｏｓｕｌｆａｎ）、オキサミル（ｏｘａｍｙｌ）、アルドキシカルブ（ａｌｄｏｘｙｃａｒｂ）、エトプロプ（ｅｔｈｏｐｒｏｐ）、メトミル（ｍｅｔｈｏｍｙｌ）、ベノミル（ｂｅｎｏｍｙｌ）、アラニカルブ（ａｌａｎｙｃａｒｂ））、有機リン殺線虫剤（例えばフェナミフォス（ｐｈｅｎａｍｉｐｈｏｓ）（ｆｅｎａｍｉｐｈｏｓ）、フェンスルフォチオン（ｆｅｎｓｕｌｆｏｔｈｉｏｎ）、テルブフォス（ｔｅｒｂｕｆｏｓ）、フォスチアゼート（ｆｏｓｔｈｉａｚａｔｅ）、ジメトエート（ｄｉｍｅｔｈｏａｔｅ）、フォスフォスルブ（ｐｈｏｓｐｈｏｃａｒｂ）、ジクロフェンチオン（ｄｉｃｈｌｏｆｅｎｔｈｉｏｎ）、イサミドフォス（ｉｓａｍｉｄｏｆｏｓ）、フォスチエタン（ｆｏｓｔｈｉｅｔａｎ）、イサゾフォス（ｉｓａｚｏｆｏｓ）、エトプロフォス（ｅｔｈｏｐｒｏｐｈｏｓ）、カズサフォス（ｃａｄｕｓａｆｏｓ）、テルブフォス（ｔｅｒｂｕｆｏｓ）、クロルピリフォス（ｃｈｌｏｒｐｙｒｉｆｏｓ）、ジクロフェンチオン（ｄｉｃｈｌｏｆｅｎｔｈｉｏｎ）、ヘテロフォス（ｈｅｔｅｒｏｐｈｏｓ）、イサミドフォス（ｉｓａｍｉｄｏｆｏｓ）、メカルフォン（ｍｅｃａｒｐｈｏｎ）、フォレート（ｐｈｏｒａｔｅ）、チオナジン（ｔｈｉｏｎａｚｉｎ）、トリアゾフォス（ｔｒｉａｚｏｐｈｏｓ）、ジアミダフォス（ｄｉａｍｉｄａｆｏｓ）、フォスチエタン（ｆｏｓｔｈｉｅｔａｎ）、フォスファミドン（ｐｈｏｓｐｈａｍｉｄｏｎ）、カプタン（ｃａｐｔａｎ）及びそれらの混合物が含まれるが、それらに限られない。
【００２０】
植物成長調節剤は、植物の成長特性に影響を与えるために用いられる活性成分を意味する。本開示において用いられ得る植物成長調節剤の例には：１−ナフタレン酢酸、１−ナフタレン酢酸Ｋ−塩、１−ナフトール、２，４−ジクロロフェノキシ酢酸（２，４−Ｄ）、２，４−ＤＢ、２，４−ＤＥＰ、２，３，５−トリヨード安息香酸、２，４，５−トリクロロフェノキシ酢酸、２−ナフトキシ酢酸、２−ナフトキシ酢酸ナトリウム塩、３−クロロ−４−ヒドロキシフェニル酢酸、３−インドール酢酸、４−ビフェニル酢酸、４−クロロフェノキシ酢酸（４−ＣＰＡ）、４−ヒドロキシフェニル酢酸、６−ベンジルアミノプリン、オーキシンドール（Ａｕｘｉｎｄｏｌｅ）、α−ナフタレン酢酸Ｋ−塩、β−ナフトキシ酢酸、ｐ−クロロフェノキシ酢酸、ジカンバ（ｄｉｃａｍｂａ）、ジクロルプロプ（ｄｉｃｈｌｏｒｐｒｏｐ）、フェノプロプ（ｆｅｎｏｐｒｏｐ）、インドール−３−酢酸（ＩＡＡ）、インドール−３−アセチル−ＤＬ−アスパラギン酸、インドール−３−アセチル−ＤＬ−トリプトファン、インドール−３−アセチル−Ｌ−アラニン、インドール−３−アセチル−Ｌ−バリン、インドール−３−酪酸（ＩＢＡ）、インドール−３−酪酸Ｋ−塩、インドール−３−プロピオン酸；α−ナフタレン酢酸、インドール−３−酢酸メチル、ナフタレンアセトアミド、ナフタレン酢酸（ＮＡＡ）、フェニル酢酸、ピクロラム（ｐｉｃｌｏｒａｍ）、ナフテン酸カリウム、ナフテン酸ナトリウム、４−ヒドロキシフェネチルアルコール、４−ＣＰＰＵ、６−ベンジルアミノプリン（ＢＡ）、６−（Ｙ，Ｙ−ジメチルアリルアミノ）プリン（２ｉＰ）、２−ｉＰ−２ＨＣＬ、アデニン、アデニンヘミサルフェート、ベンジルアデニン、カイネチン、メタ−トポリン（ｍｅｔａ−ｔｏｐｏｌｉｎ）、Ｎ６−ベンゾイルアデニン、Ｎ−ベンジル−９−（２−テトラヒドロピラニル）アデニン（ＢＰ  Ａ）、Ｎ−（２−クロロ−４−ピリジル）−Ｎ−フェニルウレア、ジベレリン酸（ＧＡ3）、ジベレリン、ジベレリン  Ａ４＋Ａ７（ＧＡ4/7）、エチレン及びアブシシン酸が含まれるが、それらに限られない。
【００２１】
「標的基質（ｔａｒｇｅｔ  ｓｕｂｓｔｒａｔｅ）」という用語は、有害生物防除剤に関する意図される目的地である植物の葉に関わる部位を指し、土壌のような自然の地表、
水（湖、池、沼地、湿地、川、水たまりなど）ならびに舗装道路のような人工の表面；有害生物；あるいはそれらの組み合わせを含むがこれらに限られない。
【００２２】
「有害生物（ｐｅｓｔ）」は一般に、昆虫、ダニ類、マダニ類及び他の節足動物；菌・カビ、原虫、バクテリア及びウイルスのような病原体（ｄｉｓｅａｓｅ  ａｇｅｎｔｓ）；蠕虫類、線虫類（回虫）、条虫（テープワーム）、扁虫（フラットワーム）、吸虫（フルークス（ｆｌｕｋｅｓ））及び他の虫；寄生原虫；ナメクジ及びカタツムリ；ならびに脊椎動物、例えば鳥類、げっ歯動物、あるいは、植物もしくは植物の一部又は加工された、製造されたもしくは他の植物の製品を直接的又は間接的に損なうかもしくはそれらにおいて病気又は損傷を引き起こし得る他の脊椎動物を含む。
【００２３】
「有害生物防除的に有効な量（ｐｅｓｔｉｃｉｄａｌｌｙ  ｅｆｆｅｃｔｉｖｅ  ａｍｏｕｎｔ）」は、適用されると有害生物の存在を減少させるか、あるいは有害生物に対する植物の抵抗性を増強する有害生物防除剤の量を指す。
【００２４】
１つの側面に従うと、本開示はスチレン−無水マレイン酸コポリマーとポリエーテルモノアミンの反応から得られる分散剤を提供する。
【００２５】
スチレン−無水マレイン酸コポリマーは、スチレン及び無水マレイン酸モノマーを用いて形成されるポリマーである。種々の側面に関し、スチレン−無水マレイン酸コポリマーは式
【００２６】
【化１】
2019513075.tif 000003
【００２７】
の第１の構成単位及び式
【００２８】
【化２】
2019513075.tif 000004
【００２９】
の第２の構成単位を有し、式中、各ｍ及びｘは独立してスチレン−無水マレイン酸コポリマー中のそれぞれの構成単位のモル分率を示す実数であり、各Ｒは独立して水素、芳香族基又は脂肪族基である。本明細書で用いられる場合、「構成単位」は最小構成単位（高分子の必須の構造の一部を含んでなる原子の群）又はモノマーを指し、その繰り返しはポリマーのような高分子を構成する。
【００３０】
種々の側面に関し、モル分率ｍは約０．５０から約０．８９の範囲内にあり、モル分率ｘは約０．１１から約０．５０の範囲内にあり、ここで（ｍ＋ｘ）＝１．００である。本開示の側面において、ｍ及びｘはそれぞれゼロより大きい。各Ｒ基に関し、芳香族基の例にはフェニル、ビフェニル、ナフチル、置換されたフェニル又はビフェニル及びナフチルが含まれるが、それらに限られない。脂肪族基の例にはアルキル及び脂環式アルキルが含まれるが、それらに限られない。
【００３１】
本開示において用いられ得るスチレン−無水マレイン酸コポリマーは、１種のスチレン−無水マレイン酸コポリマー又はスチレン−無水マレイン酸コポリマーの混合物から選ばれることができ、少なくとも４．０：１．０、又は他の側面において少なくとも５．０：１．０、さらに別の側面において少なくとも６．０：１．０、そしてさらに別の側面において少なくとも７．０：１．０のスチレン対無水マレイン酸モル比を有する（図１を参照されたい）。従来技術の分散剤に関して一般的に言われていることと対照的に、出願人は、少なくとも４．０：１．０であるスチレン対無水マレイン酸の比が本発明の分散剤の能力に不可欠であり、上記能力は、磨砕される農薬濃厚懸濁剤組成物の粘度を、上昇する温度と一定のせん断の下で最小とすること、および、僅かに水溶性の有害生物防除剤のオストワルド熟成を軽減もしくは防止することを可能とすることを、予期に反して見出した。
【００３２】
他の側面に従うと、本開示において用いられ得るスチレン−無水マレイン酸コポリマーは、１種のスチレン−無水マレイン酸コポリマー又はスチレン−無水マレイン酸コポリマーの混合物から選ばれることができ、４．０：１．０から８．０：１．０の範囲内、他の側面において６．０：１．０から８．０：１．０の範囲内のスチレン対無水マレイン酸モル比を有する。
【００３３】
別の側面に従うと、本開示において用いられ得るスチレン−無水マレイン酸コポリマーは、１種のスチレン−無水マレイン酸コポリマー又はスチレン−無水マレイン酸コポリマーの混合物から選ばれることができ、モル当たり５０，０００グラム（ｇ／モル）より小さい、他の側面において２０，０００ｇ／モルより小さい、さらに別の側面において１５，０００ｇ／モルより小さい重量平均分子量（Ｍｗ）を有する。ゲル浸透クロマトグラフィー（ＧＰＣ）により重量平均分子量を決定することができる。
【００３４】
別の側面に従うと、スチレン以外に他のモノマーをスチレン−無水マレイン酸コポリマーの主鎖中に導入することができる。一般的に用いられるのに適したモノマーは、最終的なポリマーの全体的な分子量を比較的低く保ち（例えば１５，０００ｇ／モルより低く）、それが比較的水溶性のままであるようにするために、低い分子量を有するものである。スチレン以外に存在し得る可能なモノマーにはエチレンのようなオレフィン、１，３−ブタジエン及びイソプレンのような共役ジエン、アクリル酸、アルキルアクリレート及びメタクリレート、特に低級アルキル、例えばメチル、エチル及びブチルならびにエチルヘキシルエステル、酢酸ビニル、アクリロニトリル、メタクリロニトリル、アクリルアミド、メタクリルアミド、不飽和エーテル、例えばアルキルビニルエーテル、例えばメチル及びエチルエーテル、ＡＭＰＳ、アルファ−メチルスチレン及びヒドロキシエチルメタクリレートが含まれる。
【００３５】
用いられ得る商業的に入手可能なスチレン無水マレイン酸にはＳＭＡ（登録商標）  ＥＦ−４０、ＳＭＡ（登録商標）  ＥＦ−６０及びＳＭＡ（登録商標）  ＥＦ−８０樹脂（Ｔｏｔａｌ  Ｃｒａｙ  Ｖａｌｌｅｙから入手可能）が含まれるが、それらに限られない。
【００３６】
別の側面に従うと、スチレン−無水マレイン酸コポリマーをポリエーテルモノアミンと反応させ、ここでポリエーテルモノアミンは水溶性である。そのようなポリエーテルモノ
アミンは当該技術分野において周知である。ポリエーテルモノアミンのポリエーテル部分は、典型的にはエチレンオキシド（ＥＯ）、プロピレンオキシド（ＰＯ）、ブチレンオキシド及びそれらの組み合わせに由来するようなアルキレンオキシド部分を含有する。多くの場合、ポリエーテルモノアミンはＥＯとＰＯの組み合わせを含有する。ポリエーテルモノアミンは１００％のある特定のアルキレンオキシドを含有することができるか、あるいは２種もしくはそれより多いアルキレンオキシドを含有することができる。
【００３７】
１つの側面において、ポリエーテルモノアミンは式
【００３８】
【化３】
2019513075.tif 000005
【００３９】
により示される化合物であり、式中、Ｒ1は水素及びＣ1から約Ｃ4ヒドロカルビル基より成る群から選ばれ；Ｘ１、Ｘ２、Ｘ３、Ｘ４、Ｘ５及びＸ６は、各存在において（ｉｎ  ｅａｃｈ  ｏｃｃｕｒｒｅｎｃｅ）、独立して水素、メチル及びエチルより成る群から選ばれ、但し同じアルコキシ単位に結合する２つのＸ基の少なくとも１つは水素であり；ｐ、ｑ及びｒはそれぞれ独立してゼロを含んでゼロ〜約１００の整数であることができ、但しｐ、ｑ及びｒの少なくとも１つはゼロではなく；そしてｓは０又は１であり、且つポリエーテルモノアミンは水溶性である。
【００４０】
かくして上記の構造は、制限ではないが、ランダム型およびブロック型双方のポリマーならびにコポリマーを含み、それらは、単独の、または、いかなる割合であれ互いと混合する、いずれか１つもしくは２つ以上の以下のエチレンオキシド、プロピレンオキシド、およびブチレンオキシドのポリマーである。１つの側面に従うと、ポリエーテルモノアミン反応物の分子量は約５００〜３０００の分子量である。別の特定の態様において、ポリエーテルモノアミンは約６００〜約３０００の分子量を有する。
【００４１】
本明細書の反応生成物の製造のためにそのようなアミンの混合物が用いられる場合、好ましい分子量は、現実には、存在する全アミンの平均分子量となり、それは当業者が認識する通り、斯かるアルコキシル化アミンの製造はその工程の性質から本質的にアミン混合物に至るからである。
【００４２】
本開示における使用に適したポリエーテルモノアミンの例にはＨｕｎｔｓｍａｎ  Ｐｅｔｒｏｃｈｅｍｉｃａｌ  ＬＬＣ  ｏｆ  Ｔｈｅ  Ｗｏｏｄｌａｎｄｓ，Ｔｅｘａｓにより商標ＪＥＦＦＡＭＩＮＥ（登録商標）及びＳＵＲＦＯＮＡＭＩＮＥ（登録商標）の下に販売されているものならびにポリオキシアルキレン化第１級アミンを含んでなる他の会社により提供される類似の化合物が含まれるが、それらに限られない。例にはＪＥＦＦＡＭＩＮＥ（登録商標）  Ｍ−１０００及びＪＥＦＦＡＭＩＮＥ（登録商標）  Ｍ−２０７０が含まれ、それらは以下の構造：
【００４３】
【化４】
2019513075.tif 000006
【００４４】
を有し、式中、Ｒ3＝Ｈ又はＣＨ3であり、ａは約３から約３２であり、ｂは約１０から約３２である。これらの化合物はメトキシ末端であるが、メトキシ基のメチル基がエチル、プロピル、ブチル、フェニル又はベンジルのようなより高級の炭化水素で置き換えられた他の基でポリエーテルモノアミンをキャッピングする（ｃａｐｐｅｄ）こともできる。アミン末端は、典型的には第１級アミン基である。本開示の実施における使用のために適したアミン末端ポリエーテルの追加の代表的な、制限ではない例には３／１９のＰＯ／ＥＯ比を有するメチルでキャッピングされた１０００の分子量のアミンであるＳＵＲＦＯＮＡＭＩＮＥ（登録商標）  Ｅ  Ｌ−１００アミン；１０／３１のＰＯ／ＥＯ比を有するメチルでキャッピングされた２０００の分子量のアミンであるＳＵＲＦＯＮＡＭＩＮＥ（登録商標）  Ｌ−２０７アミン；８／５８のＰＯ／ＥＯ比を有するメチルでキャッピングされた３０００の分子量のアミンであるＳＵＲＦＯＮＡＭＩＮＥ（登録商標）  Ｌ−３００アミン；及び約４／４１のＰＯ／ＥＯ比を有するメチルでキャッピングされた２０００の分子量のアミンであるＪＥＦＦＡＭＩＮＥ（登録商標），Ｍ−２０９５が含まれる。
【００４５】
米国特許第３，６５４，３７０号明細書；米国特許第４，１５２，３５３号明細書；米国特許第４，６１８，７１７号明細書；米国特許第４，７６６，２４５号明細書；米国特許第４，９６０，９４２号明細書；米国特許第４，９７３，７６１号明細書；米国特許第５，００３，１０７号明細書；米国特許第５，３５２，８３５号明細書；米国特許第５，４２２，０４２号明細書；及び米国特許第５，４５７，１４７号明細書に記載されている方法のような周知のアミノ化法を用いてポリエーテルモノアミンを製造することができ、それら特許の記載事項は引用することにより本明細書の内容となる。一般にポリエーテルモノアミンは、ニッケル含有触媒、例えばＮｉ／Ｃｕ／Ｃｒ触媒のような触媒の存在下でアンモニアを用いてポリエーテルモノオール（ｍｏｎｏｌ）をアミノ化することにより製造される。
【００４６】
１つの特定の側面において、ポリエーテルモノアミンは３より大きいか又はそれに等しいＥＯ対ＰＯのモル比を有するポリオキシエチレンポリオキシプロピレンモノアミンであるか、ならびに／あるいは約６００〜約３０００の分子量を有する。
【００４７】
スチレン−無水マレイン酸コポリマーとポリエーテルモノアミンの間の反応を溶媒の存在下で行うことができる。用いられ得る溶媒はコポリマー樹脂及びポリエーテルモノアミンに対して非反応性である。いくつかの側面において、溶媒は非プロトン性である。例え
ば溶媒はベンゼンならびにトルエン及びキシレンのようなアルキルベンゼンのような芳香族溶媒、メチルｔ−ブチルエーテルのようなエーテル、メチルイソブチルケトンのようなケトン、酢酸エチル、酢酸プロピルのようなエステル、エチレンカーボネート、プロピレンカーボネート及びブチレンカーボネートのようなカーボネート、ジクロロメタンのようなハロゲン化脂肪族炭化水素、ブチロラクトンのようなラクトンならびにブチロニトリルのような脂肪族亜硝酸塩（ａｌｉｐｈａｔｉｃ  ｎｉｔｒｉｔｅ）であることができる。溶媒の混合物を用いることもできる。溶媒又は溶媒混合物の性質を変えるために補助溶媒を用いることもできる。コポリマー樹脂及び場合により本開示の反応生成物を溶解するのに十分な量で溶媒を用いることができる。用いられる溶媒の量は広く変わり得、当該技術分野における熟練者に明らかな通り、反応生成物の製造に適したいずれかの量であろう。
【００４８】
スチレン−無水マレイン酸コポリマーとポリエーテルモノアミンの反応から得られる分散剤をアミド酸（又は「半アミド」）と呼ぶことができる。反応生成物は１つより多いアミド酸基を有するポリマーを形成することができるので、反応生成物はポリアミド酸であることができる。半アミドに加え、アミド酸はカルボン酸官能基を有する。この反応生成物は無水物結合の高い反応性の結果として、比較的穏やかな反応温度で得られ得る。１００℃より低い、そしていくつかの態様において約６０℃より低い温度が、ポリエーテルモノアミンが存在する時に無水物をアミド酸に転換するのに十分である。より高い反応温度において、縮合及び水の脱離によりイミドを形成することができる。イミド形成は得られる生成物の性能に有害ではないが、イミドの形成は本開示の目的ではない。
【００４９】
本開示の１つの側面において、アミド酸又はポリアミド酸反応生成物の一部であるカルボン酸基は、部分的に又は全体的に中和される。ナトリウム、カリウム、カルシウム、アンモニア、他のアルキルアミン又は当該技術分野における熟練者により既知の他の中和化学品によりこれらのカルボン酸基を中和することができる。カルボン酸基を放置することにより、あるいはカルボン酸基を部分的に又は全体的に中和することにより、当該技術分野における熟練者は農業用組成物を特定の用途のために微調整することができる。
【００５０】
スチレン−無水マレイン酸コポリマーをプロピレンカーボネートのような非反応性溶媒中に溶解し、混合物を所望のポリエーテルモノアミンと反応させてアミド酸を形成することにより、分散剤を製造することができる。樹脂及び溶媒をポリエーテルモノアミンの添加の前に約６０℃に加熱し、それによってより迅速な反応を助長することができる。添加の順序は重要であると思われず、従って無水物樹脂をモノアミンに加えることができる。典型的には樹脂中の無水物の量に対して化学量論的な量のモノアミンを加える。しかしながら、化学量論的な量より多いか又は少ない量のモノアミンも優れた分散剤を形成することができると思われる。非反応性溶媒は、分散剤生成物の合成を単純にするための加工助剤（ｐｒｏｃｅｓｓｉｎｇ  ａｉｄ）として作用するであろう。いくつかの側面において、溶媒を分散剤生成物中に放置することができるが、他の側面において、溶媒を分散剤生成物から除去することができる。望ましいだけ多量の又は少量の溶媒を用いる／除去することができる。最後に当該技術分野における熟練者に周知の方法を用いて反応生成物を単離し、所望通りに精製することができる。
【００５１】
いくつかの側面において、本開示の分散剤は２５℃において８００ｍＰａ  ｓの最大粘度を有するであろう。他の側面において、本開示の分散剤は約６０より低いか又は約５５より低いか又は約５０より低くさえある合計固体含有率（％）を有することができる。さらに別の側面において、本開示の分散剤は約３５より高いか又は約４０より高いか又は約４５より高くさえある合計固体含有率（％）を有することができる。
【００５２】
本開示の分散剤は、本発明のモル比の範囲外のスチレン対無水マレイン酸モル比を有するスチレン−無水マレイン酸コポリマーから製造される従来技術の分散剤を超える利点を
与え、それは、本発明の分散剤を含有する農業用組成物が高められた温度におけるより低い粘度及び向上した性能を示すからである。特許請求される分散剤は、オストワルド熟成を軽減するか又は妨げることもでき、農薬濃厚懸濁剤組成物の高せん断磨砕も可能にし、ならびに基質（ｓｕｂｓｔｒａｔｅ）への適用の前に水中で希釈する時、それらの懸濁性を向上させることを可能にすることもできる。
【００５３】
別の側面に従うと、本開示の分散剤及び有害生物防除剤を含んでなる水性農業用組成物を提供する。
【００５４】
いくつかの態様において、有害生物防除剤は水にやや難溶性である。これらの態様において、それは２０℃において最高でも１０ｇ／Ｌまで、好ましくは最高でも３ｇ／ｌまで、そして特に最高でも０．５ｇ／ｌまで水中に可溶性である。有害生物防除剤は通常２０℃において固体である。いくつかの態様において、有害生物防除剤は少なくとも５０℃又は少なくとも８０℃そして特に少なくとも１２０℃の融点を有する。
【００５５】
１つの態様に従うと、水性農業用組成物は、水性農業用組成物の合計重量に基づいて少なくとも約０．１重量％の分散剤、又は、少なくとも約０．５重量％の分散剤、又は、少なくとも約１重量％の分散剤、又は、少なくとも約３重量％の分散剤、又は、少なくとも約５重量％の分散剤さえ含有する。
【００５６】
別の態様において、水性農業用組成物は、水性農業用組成物の合計重量に基づいて約７重量％より少ない分散剤、又は、約６重量％より少ない分散剤、又は、約５重量％より少ない分散剤、又は、約４重量％より少ない分散剤、又は、約３重量％より少なくさえある分散剤を含有する。
【００５７】
さらに別の態様において、水性農業用組成物は、水性農業用組成物の合計重量に基づいて約０．０５重量％−７重量％の分散剤、又は、約０．５重量％−６重量％の分散剤、又は、約１重量％−５．５重量％の分散剤、又は、約３重量％−５重量％の分散剤さえ含有する。
【００５８】
水性農業用組成物は、少なくとも約０．５重量％の有害生物防除剤も含むことができる。いくつかの態様において、それは水性農業用組成物の合計重量に基づいて少なくとも約２重量％か、又は、少なくとも約５重量％もの有害生物防除剤を含む。
【００５９】
他の態様において、水性農業用組成物は、水性農業用組成物の合計重量に基づいて最高で約７０重量％、又は、最高で約６５重量％、又は、最高で約６０重量％、又は、最高で約５０重量％、又は、最高で約４０重量％もの有害生物防除剤を含むことができる。水性農業用組成物がさらなる有害生物防除剤を含有する場合、前記の量は有害生物防除剤及びさらなる有害生物防除剤の合計量に適用される。
【００６０】
少なくとも１種の有害生物防除剤は水性農業用組成物中に懸濁された形態で存在する。さらなる有害生物防除剤は懸濁されたか、乳化されたか又は溶解された形態で存在することができ、ここで乳化された形態が好ましい。さらなる有害生物防除剤は殺菌・殺カビ剤、殺虫剤、殺線虫剤、除草剤、毒性緩和剤、植物成長調節剤及びそれらの混合物の群から選ばれることができる。かくして別の側面において：ａ）連続水相；ｂ）部分的に水溶性の有害生物防除剤；及びｃ）本開示の分散剤を含んでなる農薬濃厚懸濁剤組成物を提供する。
【００６１】
水性農業用組成物はさらに、水性農業用組成物の合計重量に基づいて少なくとも約１０重量％の水、あるいは、少なくとも約３０重量％、そして特に少なくとも約４５重量％の
水を含むことができる。別の態様において、水性農業用組成物は水性農業用組成物の合計重量に基づいて最高で約９０重量％、又は、最高で約７５重量％もの水を含むことができる。
【００６２】
水性農業用組成物は農薬調製助剤も含むことができる。適した調製助剤は、本開示の分散剤以外の分散剤、溶媒、液体担体、固体担体又は充填剤、界面活性剤、乳化剤、湿潤剤、溶解促進剤、浸透促進剤、保護コロイド、粘着剤、増粘剤、保湿剤、忌避剤、誘引剤、採食刺激剤（ｆｅｅｄ  ｓｔｉｍｕｌａｎｔｓ）、相溶化剤、殺バクテリア剤（ｂａｃｔｅｒｉｃｉｄｅｓ）、凍結防止剤、発泡防止剤、着色剤、接着剤及び結合剤である。
【００６３】
水性農薬組成物は、植物病原性菌・カビ及び／又は望ましくない植物成長及び／又は望ましくない昆虫もしくはダニの攻撃の抑制のため、ならびに／あるいは植物の成長の調節のために有用であり得、ここで組成物は特定の有害生物、それらの生息地又はそれぞれの有害生物から保護されるべき植物、土壌ならびに／あるいは望ましくない植物及び／又は有用な植物及び／又はそれらの生息地に作用することを許される。さらに水性農薬組成物の使用は植物への望ましくない昆虫又はダニの攻撃を抑制することができ及び／又は植物病原性菌・カビを抑制することができ及び／又は望ましくない植物成長を抑制することができ、その場合、有用な植物の種子材料を組成物で処理する。最後に、水性農薬組成物及び濃厚懸濁剤組成物は、オストワルド熟成を軽減することができる。かくして別の特定の側面において：ａ）連続水相；ｂ）部分的に水溶性の有害生物防除剤；及びｃ）本開示の分散剤を含んでなる濃厚懸濁剤組成物を提供し、ここで分散剤は組成物中の有害生物防除剤（ｂ）のオストワルド熟成を軽減するか又は妨げるのに十分な量、例えば濃厚懸濁剤組成物の合計重量基づいて少なくとも約１重量％の分散剤、又は、少なくとも約３重量％の分散剤、又は、少なくとも約５重量％の分散剤の量でさえ存在する。
【００６４】
別の側面に従うと、本開示の水性農薬組成物を通常の農業的方法で用いることができる。例えば水性農業用組成物を、発芽後に、所望の標的基質に、飛行機噴霧タンク（ａｉｒｐｌａｎｅ  ｓｐｒａｙ  ｔａｎｋｓ）、ナップザック噴霧タンク（ｋｎａｐｓａｃｋ  ｓｐｒａｙ  ｔａｎｋｓ）、牛浸漬バット（ｃａｔｔｌｅ  ｄｉｐｐｉｎｇ  ｖａｔｓ）、地上噴霧（ｇｒｏｕｎｄ  ｓｐｒａｙｉｎｇ）において用いられる農場設備（例えばブーム噴霧器、手動噴霧器）などのような手段により適用することができる。
【００６５】
別の態様に従うと、今記載している方法は、有害生物防除的に有効な量の有害生物防除剤を供給し、有効な量の本開示の分散剤を供給し、有害生物防除剤及び場合により肥料を分散剤及び水と合わせて水性農薬調製物を調製し、水性農薬調製物と有害生物を接触させる段階を含んでなる有害生物を殺害、阻害、又は撃退するための方法を提供する。
【００６６】
別の側面において、水性農業用組成物に上記の分散剤を加えることを含んでなる水性農業用組成物のオストワルド熟成を軽減するか又は妨げるための方法を提供する。１つの特定の側面において、水性農業用組成物は有害生物防除的に有効な量の有害生物防除剤を含む。
【００６７】
塗料、染料又はインキ調製物のための顔料分散剤として及びセメント又は壁板のための高流動化剤としてを含む他の用途において分散剤を用いることもできる。かくして本開示の他の側面は、分散剤を含んでなる塗料組成物、分散剤を含んでなる染料又はインキ調製物ならびに分散剤を含んでなるセメント又は壁板を含む。
【実施例】
【００６８】
実施例１：分散剤合成法
下記の実施例において用いられる分散剤の製造に以下の方法を用いた。
【００６９】
電気加熱、頭上撹拌及び不活性雰囲気が備えられた適した反応容器中で、スチレン無水マレイン酸樹脂、乾燥テトラヒドロフラン（ＴＨＦ）及びＪＥＦＦＡＭＩＮＥ（登録商標）モノアミンを下記の表１に示される量で合わせた。混合物を４時間撹拌し、１１５℃に加熱し、その間に樹脂は溶解し、モノアミンと反応した。反応が完了した後、グリコールエーテル溶媒を加え、ＴＨＦを７０℃において真空下で選択的に除去し、グリコールエーテル中の分散剤の透明な溶液を残した。固体に基づく分散剤濃度は５０％であった。
【００７０】
【表１−１】
2019513075.tif 000007
【００７１】
【表１−２】
2019513075.tif 000008
【００７２】
【表１−３】
2019513075.tif 000009
【００７３】
スチレン無水マレイン酸樹脂はＴｏｔａｌ  Ｃｒａｙ  Ｖａｌｌｅｙ  ＵＳＡから得た：
●ＳＭＡ−１０００は１：１のスチレンマレイン酸比を有する。
●ＳＭＡ−２０００は２：１のスチレンマレイン酸比を有する。
●ＳＭＡ−３０００は３：１のスチレンマレイン酸比を有する。
●ＳＭＡ  ＥＦ−４０は４：１のスチレンマレイン酸比を有する。
●ＳＭＡ  ＥＦ−６０は６：１のスチレンマレイン酸比を有する。
●ＳＭＡ  ＥＦ−８０は８：１のスチレンマレイン酸比を有する。
【００７４】
ＪＥＦＦＡＭＩＮＥ（登録商標）モノアミンはＨｕｎｔｓｍａｎ  Ｐｅｔｒｏｃｈｅｍｉｃａｌ  ＬＬＣから得た：
●ＪＥＦＦＡＭＩＮＥ（登録商標）  Ｍ−２０７０アミンは約２０００の分子量を有し、約３：１のＥＯ：ＰＯの比を有する。
●ＪＥＦＦＡＭＩＮＥ（登録商標）  Ｍ−１０００アミンは約１０００の分子量を有し、約７．２：１のＥＯ：ＰＯの比を有する。
●ＪＥＦＦＡＭＩＮＥ（登録商標）  Ｍ−２０９５アミンは約２０００の分子量を有し、約１１：１のＥＯ：ＰＯの比を有する。
●ＪＥＦＦＡＭＩＮＥ（登録商標）  Ｍ−３０８５アミンは約３０００の分子量を有し、約７：１のＥＯ：ＰＯの比を有する。
●ＪＥＦＦＡＭＩＮＥ（登録商標）  Ｍ−６００アミンは約６００の分子量を有し、約１：９のＥＯ：ＰＯの比を有する。
●ＪＥＦＦＡＭＩＮＥ（登録商標）  Ｍ−２００５アミンは約２０００の分子量を有し、約１：５のＥＯ：ＰＯの比を有する。
【００７５】
ＴＨＦ及びグリコールエーテル溶媒はそれぞれテトラヒドロフラン及びジプロピレングリコールメチルエーテルであった。
【００７６】
反応物モノアミンのＥＯ：ＰＯ比が３：１より小さい分散剤２５−３６は水中に不溶性であり、結果として水に基づく有害生物防除剤調製物のための分散剤として完全に無効であることが見出された。この群を用いてさらなる比較はなされなかった。
【００７７】
分散剤１−２４を次いで典型的な農薬組成物において用いた。２種の有害生物防除剤活性成分、メツリブジン及びプロパニルを選び、表１に記載された２４種の水溶性分散剤の対照比較を行った。これは粒度縮小法（ｐａｒｔｉｃｌｅ  ｓｉｚｅ  ｒｅｄｕｃｔｉｏｎ  ｐｒｏｃｅｓｓ）の間に有害生物防除剤活性成分の小粒子を有効に分散させる分散剤の能力を調べた。比較は、ＳＭＡ樹脂とポリエーテルモノアミンのある組み合わせのみが濃厚懸濁剤型の組成物における使用に有効な分散剤を形成することを示した。
【００７８】
メツリブジン磨砕試験
工業銘柄メツリブジン（１５０グラム）、表１からの分散剤溶液（７．５グラム）、湿潤剤（Ｓｕｒｆｏｎｉｃ（登録商標）  Ｌ２４−７剤、Ｈｕｎｔｓｍａｎ  Ｐｅｔｒｏｃｈｅｍｉｃａｌ  ＬＬＣから入手可能、４．８グラム）、プロレングリコール（１９．２グラム）及び水（１１８．２グラム）をビーカー中で合わせ、スパチュラを用いて混合した。次いでスラリをビーズミル（Ｅｉｇｅｒ  Ｍｉｎｉ−１００、ＥＭＩ，Ｇｒａｙｓｌａｋｅ，ＩＬから入手可能）に移し、１ｍｍのガラス媒体を用いて２５００ｒｐｍにおける磨砕を１０分間試みた。表１からのどの分散剤を選択したかに依存して、磨砕は成功であったか又は失敗であった。成功の磨砕は、約４ミクロンのメジアン粒度を有する滑らかで流動性の明色の懸濁剤を生じた。磨砕法の間に混合物が流動しないか又はさらに磨砕されないペーストに変わった場合に、磨砕は失敗とみなされた。磨砕が失敗であった場合、メジアン粒度は一般に１００ミクロンより大きかった。ペーストはポンピングにより容易に移され得ず、標準的なプラスチックジャグ包装から流れ出ないので、それは許容され得ない。表２はメツリブジン磨砕試験の結果を示す。
【００７９】
【表２】
2019513075.tif 000010
【００８０】
プロパニル磨砕試験
工業銘柄プロパニル（１５０グラム）、表１からの分散剤溶液（７．５グラム）、湿潤剤（Ｓｕｒｆｏｎｉｃ（登録商標）  Ｌ２４−７剤、４．８グラム）、プロレングリコール（１９．２グラム）及び水（１１８．２グラム）をビーカー中で合わせ、スパチュラを用いて混合した。次いでスラリをビーズミル（Ｅｉｇｅｒ  Ｍｉｎｉ−１００、ＥＭＩ，Ｇｒａｙｓｌａｋｅ，ＩＬから入手可能）に移し、１ｍｍのガラス媒体を用いて２５００ｒｐｍにおける磨砕を１０分間試みた。表１からのどの分散剤を選択したかに依存して、磨砕は成功であったか又は失敗であった。成功の磨砕は、約４ミクロンのメジアン粒度を有する滑らかで流動性の明色の懸濁剤を生じた。磨砕法の間に混合物が流動しないか又はさらに磨砕されないペーストに変わった場合に、磨砕は失敗とみなされた。磨砕が失敗であった場合、メジアン粒度は許容され得ない程大きく、一般に１００ミクロンより大きかった。ペーストはポンピングにより容易に移され得ず、標準的なプラスチックジャグ包装から流れ出ないので、それは許容され得ない。表３はプロパニル磨砕試験の結果を示す。
【００８１】
【表３】
2019513075.tif 000011
【００８２】
メツリブジン及びプロパニルの両方を用いる上記の磨砕試験は、磨砕に成功し、粒度縮小が起こるために、分散剤は４：１かもしくはそれより大きいスチレン対無水マレイン酸モル比を有するＳＭＡを含まなければならないことを示す。
【００８３】
実施例２：分散剤構造及びオストワルド熟成の比較
この実施例は、本発明の分散剤が従来技術の構造的に類似の分散剤と比較してより有効にオストワルド熟成を妨げるということを強調する。
【００８４】
一般に、広い範囲の寸法を有する粒子を媒体中に分散させる場合、媒体中における粒子の差別的な（ｄｉｆｆｅｒｅｎｔｉａｌ）溶解速度がある。差別的な溶解はより大きな粒子に対してより小さい粒子が熱力学的に不安定であるという結果を生じ、より小さい粒子からより大きい粒子への材料の流れを生ずる。この効果は、より小さい粒子は媒体中に溶解するが、溶解した材料はより大きな粒子上に堆積し、それにより粒度を増大させることである。粒子成長に関する１つのそのような機構はオストワルド熟成として既知である。
【００８５】
分散系における粒子の成長は保存の間の分散系の不安定性を生じ得、分散系からの粒子の沈降を生ずる。粒度における変化は成分の利用性、毒性及び従って有効性に影響するらしいので、活性成分の分散系における粒度が一定のままであることは特に重要である。
【００８６】
オストワルド熟成への本発明の分散剤の効果を調べ、従来技術の分散系の場合のそれと比較するために、殺虫剤、イミダクロプリドの懸濁剤調製物を調製した。６種の選ばれた分散剤は（表１を参照されたい）：
分散剤溶液２（１：１比）
分散剤溶液６（２：１比）
分散剤溶液１０（３：１比）
分散剤溶液１４（４：１比）
分散剤溶液１８（６：１比）
分散剤溶液２２（８：１比）
であった。
【００８７】
以下の通りに６種の調製物を調製した：
工業銘柄イミダクロプリド（１５０グラム）、表１からの分散剤溶液（７．５グラム）、湿潤剤（Ｓｕｒｆｏｎｉｃ  Ｌ２４−７（登録商標）剤、４．８グラム）、プロレングリコール（１９．２グラム）及び水（１１８．２グラム）をビーカー中で合わせ、スパチュラを用いて混合した。次いでスラリをビーズミル（Ｅｉｇｅｒ  Ｍｉｎｉ−１００、ＥＭＩ，Ｇｒａｙｓｌａｋｅ，ＩＬから入手可能）に移し、１．０ｍｍのガラス媒体を用いて２５００ｒｐｍにおいて１０分間磨砕した。スラリをミルから排出し、キサンタンガム（Ｋｅｌｚａｎ（登録商標）  Ｓ  キサンタンガム、Ｋｅｌｃｏ  Ｃｏｒｐｏｒａｔｉｏｎから入手可能）の１％溶液と、９部のスラリ対１部のガム溶液の比率で配合した。Ｈｏｒｉｂａ  ＬＡ−３００光散乱粒度分析器を用いて、各試料につき初期の粒度分布を決定した。次いでイミダクロプリドの６種の懸濁剤調製物を５４℃におけるオーブン中に２週間置き、取り出し、２０℃で１０週間保存した。この時点に各試料の粒度分布を再び測定した。粒度データを表４において表にし、図２においてグラフにより示す：
【００８８】
【表４】
2019513075.tif 000012
【００８９】
かくして上記が示す通り、４：１かもしくはそれより大きいスチレン対無水マレイン酸のモル比は、農薬懸濁剤におけるオストワルド熟成の優れた抑制を与える。
【００９０】
実施例３：分散剤構造及び調製物流動学の比較
この実施例は、濃厚懸濁剤組成物において優れた流動学的性能を有する分散剤を調製するために、４：１かもしくはそれより大きい高いスチレン：無水マレイン酸モル比が必要であることを示す。特に、製造法の間に、有害生物防除剤（例えば工業銘柄イミダクロプリド）の粒子は大きな工業用媒体ミル（ｍｅｄｉａ  ｍｉｌｌ）中で１−１０ミクロンの範囲に寸法を縮小されねばならない。この方法は懸濁剤を高いせん断力下に置き、ミルが適切に冷却されないと懸濁剤は高温に遭遇し得る。この製造段階の間、分散剤は粘度を低く保持することに成功することができ、それをポンピングにより１つのタンクから別のタ
ンクに容易に移すことができなければならない。
【００９１】
上記の実施例２に記載した６種のイミダクロプリド懸濁剤の流動学的性質を、Ｐｅｌｔｉｅｒ熱系（ｔｈｅｒｍａｌ  ｓｙｓｔｅｍ）が備えられたＴＡ  ＩｎｓｔｒｕｍｅｎｔＡＲ−２０００  ｅｘレオメーターを用い、プレート／プレート配置（ｐｌａｔｅ／ｐｌａｔｅ  ｃｏｎｆｉｇｕｒａｔｉｏｎ）を用いて分析した。６つの試料の粘度を、１００ｓ−１の一定のせん断下に温度の関数として個々に測定した。図３は温度が４０℃から６５℃に上昇する時の６種のイミダクロプリド懸濁剤の粘度を示す。図３における各曲線は、スチレン対無水マレイン酸の異なる比を含有する分散剤を用いて調製される６種の懸濁剤の１つを示す。この比を各曲線の隣に示す。最も有効な分散剤は、いずれの与えられる温度においても最低の懸濁剤−粘度を与えるであろう。この図から、分散剤の調製時に４：１、６：１及び８：１のスチレン対無水マレイン酸のモル比が用いられる場合に最高の性能が生ずることが明らかである。
【００９２】
かくして上記の実施例において結果が示す通り、本開示の分散剤は調製物調製法の間に直面する多くの問題を軽減することができ、ａ）調製物磨砕段階の間に穏やかな温度で起こり得るペースト形成、ｂ）生成物保存の間の懸濁剤のオストワルド熟成及びｃ）高められた温度における磨砕操作の間の劣った粘度制御の軽減又は予防を含んで完成調製物の保存安定性を向上させることができる。
【００９３】
前記は本開示の態様に向けられているが、開示の他の及びさらなる態様を開示の基本的な範囲から逸脱することなく考案することができ、その範囲は続く特許請求の範囲により決定される。
【図１】
2019513075.tif 000016
【図２】
2019513075.tif 000017
【図３】
2019513075.tif 000018
【国際調査報告】
2019513075.tif 000019